(57)【特許請求の範囲】
【請求項１】
殺菌した医療用流体の温度を測定する温度感知装置であって、
流体ラインに沿って選択された場所に配置される継手であって、
該流体ラインは、殺菌した医療用流体を収容する医療用流体容器に連結され、該医療用流体容器から該殺菌した医療用流体を受容して該医療用流体を患者に向かって導き、
熱処理装置が、該流体ラインの近位にあり、該熱処理装置の近位で該殺菌した医療用流体を熱処理するように動作可能であり、
該継手は、
第１の開口端および第２の開口端であって、各端が、該流体ラインの選択された部分に直接固定可能である、第１の開口端および第２の開口端と、
該第１の開口端と該第２の開口端との間に延び、そして該流体ライン内を流れる該殺菌した医療用流体のための非直線状の流路を形成する、細長い非直線状の管状本体であって、該非直線状の管状本体は、少なくとも１つの湾曲したセクションおよび熱伝導性流れ部材を備え、ここで、該熱伝導性流れ部材が該少なくとも１つの湾曲したセクション内の該殺菌した医療用流体の流れを導きそして該殺菌した医療用流体と接触する、細長い非直線状の管状本体と、
を含む、継手と、
該熱伝導性流れ部材を通して、該少なくとも１つの湾曲したセクション内の該殺菌した医療用流体の温度を測定し、該測定された流体温度を示す電気的温度信号を生成するように、該熱伝導性の流れ部材の近位に配置された温度センサと
を含み、
制御装置が、該熱処理装置を制御して、該測定された流体温度に基づいて該医療用流体を所望の温度に達するように熱処理するように、該温度センサおよび該熱処理装置に連結される、温度感知装置。
【請求項２】
前記所望の温度は、ユーザにより入力される、請求項１に記述の温度感知装置。
【請求項３】
前記熱処理装置は、加熱および冷却のうちの少なくとも１つの形態で、前記医療用流体を熱処理する、請求項１に記述の温度感知装置。
【請求項４】
前記制御装置は、前記測定された流体温度を表示する、請求項１に記述の温度感知装置。
【請求項５】
前記継手は、該継手を通る前記医療用流体の流れを選択的に制御するための流れ制御装置をさらに含む、請求項１に記述の温度感知装置。
【請求項６】
前記流れ制御装置は、該流れ制御装置を、前記継手を通る前記医療用流体の流れを可能にする状態に維持するための係止機構を含む、請求項５に記述の温度感知装置。
【請求項７】
前記流れ制御装置は、筐体および該筐体の中に摺動可能に配置されるピストンを含み、該ピストンは、開口部を含み、かつ、該開口部を前記流路と整列させるように選択的に直線的に操作することにより、前記継手内の前記医療用流体の流れを制御する、請求項５に記述の温度感知装置。
【請求項８】
前記流れ制御装置は、筐体および該筐体の中に回転可能に配置される弁部材を含み、該弁部材は、開口部を含み、かつ、該開口部を前記流路と整列させるように選択的に回転させられることにより、前記継手内の前記医療用流体の流れを制御する、請求項５に記述の温度感知装置。
【請求項９】
前記制御装置は、前記流れ制御装置に連結され、かつ、該流れ制御装置を操作することにより、前記測定された流体温度に基づいて前記医療用流体の流れを制御する、請求項５に記述の温度感知装置。
【請求項１０】
前記非直線状の管状本体は、ループ構成を含む、請求項１に記述の温度感知装置。
【請求項１１】
前記継手に連結される針ハブアセンブリをさらに含み、該針ハブアセンブリは、前記医療用流体を該継手から前記患者の中に導くための針を備える、請求項１に記述の温度感知装置。
【請求項１２】
前記制御装置は、前記測定された流体温度を記録してレポートを生成する、請求項１に記述の温度感知装置。
【請求項１３】
前記測定された流体温度および前記レポートのうちの少なくとも１つは、プリンタによって印刷される、請求項１２に記述の温度感知装置。
【請求項１４】
前記制御装置は、前記レポートを別の装置に伝達するために、通信モジュールを含む、請求項１２に記述の温度感知装置。
【発明の詳細な説明】
【技術分野】
【０００１】
（１．技術分野）
本発明は、温度感知装置に関し、例えば、２００４年５月２０日に出願された米国特許出願第１０／８４９，２５１号（名称「Ｔｅｍｐｅｒａｔｕｒｅ  Ｓｅｎｓｉｎｇ  Ｄｅｖｉｃｅ  ｆｏｒ  Ｓｅｌｅｃｔｉｖｅｌｙ  Ｍｅａｓｕｒｉｎｇ  Ｔｅｍｐｅｒａｔｕｒｅ  ａｔ  Ｄｅｓｉｒｅｄ  Ｌｏｃａｔｉｏｎｓ  Ａｌｏｎｇ  ａｎ  Ｉｎｔｒａｖｅｎｏｕｓ  Ｆｌｕｉｄ  Ｌｉｎｅ」であり、現在は、米国特許出願公開第２００４／０２４９３３６号（Ｆａｒｉｅｓ，Ｊｒ．ら）である）、米国特許第７，０９０，６５８号（Ｆａｒｉｅｓ，Ｊｒ．ら）、および米国特許第６，８２４，５２８号（Ｆａｒｉｅｓ，Ｊｒ．ら）に開示されているような種類の温度感知装置である。前述の特許および特許出願公開の開示は、参照することによってその全体が本明細書に組み込まれる。特に、本発明は、流体ライン（例えば、静脈（ＩＶ）流体ライン）に沿う任意の望ましい場所における静脈流体の温度を監視する装置に関し、さらに、これらの装置を通る流体の流動を選択的に可能および／または禁止して、患者に進入する前に、流体ライン内で所望の流体温度が確実に達成されるようにすることができる。
【背景技術】
【０００２】
（２．関連技術の討議）
患者は、典型的には、液体を充填したバッグまたは容器と、重力下にあるか、および／または容器から患者へ圧力を付与された、流体を送達する静脈流体ラインとを利用して、静脈（ＩＶ）流体を注入される。流体による患者への熱衝撃および熱傷のいかなる可能性をも排除するために、進入時に望ましくかつ安全な温度範囲内に、静脈ライン中の流体の温度を維持することが、多くの状況において重要である。
【０００３】
従って、関連技術は、静脈内、または他の種類の流体ライン内を流れる流体の温度を監視し、および／または制御するために温度センサを用いるいくつかの装置を提供している。例えば、特許文献１（Ｍａｇｌｉｏｃｈｅｔｔｉら）は、流体の患者への送達の前に、流体を体温まで加熱するための装置を開示している。一実施形態では、患者への送達の前に加温されるべき流体を、流体送達ライン中に配置されるチャンバを通る流れを通過させることができる。流体を加熱するための電気抵抗性加熱要素が、流体を室内または周囲の保存温度から患者の体温に加熱するように、チャンバの中に成形され得る。温度監視要素のプローブを使用して、チャンバを出る流体の温度を監視することができる。別の実施形態では、この情報を、抵抗要素への電力、したがって、流体の温度を制御するための制御装置に送り返すことができる。また別の実施形態では、チャンバの出口ポート内、あるいは流体ライン中の他の場所の窓を通って精査することによる、チャンバを出る流体の温度を監視するための、赤外線温度センサが使用され得る。該装置は、目視による温度監視用に、ＬＥＤの、出て行く流体温度の２桁表示をさらに含んでもよい。
【０００４】
特許文献２（Ｃａｒｔｅｒ，Ｊｒ．ら）は、患者へ進入する前に、静脈管を通って流れる血液、血漿、および他の溶液を加温するための加熱器を開示している。該加熱器は、患者に解除可能に固定され、細長いチャネルを有する筐体を含み、該チャネルは、筐体の一端から他端へ延在する。チャネルは、それに対して加熱要素が備え付けられる、細長いスロットで形成される。加熱要素は、制御回路により制御され、バッテリにより動力を供給される。制御回路は、感知された温度に応じて、連続的にまたは周期的に加熱要素を励起することができる。
【０００５】
特許文献３（Ｓｃｈａｕｓ）は、そうでなければパイプライン中の流体流動により引き起こされかねない該要素への損傷を防止するための、パイプライン中で温度感知要素を保持するためのサーモバルブ取付具を開示している。該取付具は、パイプラインと順次接続するためのねじ端を有する本体と、感知要素が通って延在する穴部を伴う設置突起と、感知要素の外部端を支持するための突起と反対側のパイプラインの内側に形成される凹部とを含む。
【０００６】
特許文献４（Ｄｉｅｄｒｉｃｈ）は、媒体伝達パイプとパイプから離れて突出する接続片とを含む、Ｔ型パイプ結合を含む装置を開示している。パイプは、パイプへ媒体を供給し、媒体をパイプから離れるように導く管に接続される。栓ユニットが、接続片内に配置され、接触ピンを支持する止め具、ならびにこれらのピンに接続される温度センサとを含む。温度センサは、パイプを通って流れる媒体の温度を間接的に測定する。電気的ブッシュ部が、ブラケットを介して接続片にさらに固定され、接触ピンに接続される。ブッシュ部の筐体は、その中に画定される開孔部を通って、筐体の外部に延在する電気的接続ラインを伴う接続ブッシュを含む。
【０００７】
特許文献５（Ｂｒｏｗｎ）は、筐体内に入れられるガラス温度計を含む、温度指標プローブを開示している。筐体は、段差または段部によって隔てられる一連の先細で円筒形状の部分を含み、ラインを通って運ばれる作動流体の温度を感知および指示するように、これらは様々なサイズの標準的な医療器具ラインの開孔部または継手の中にそれぞれ挿入可能である。
【０００８】
特許文献６（Ｂａｒｋｅｒ）は、流体流動システムにおいて使用するための温度感知装置を開示している。装置は、筐体を通って延在する先細のルーメンを有する筐体と、筐体を通って延在する開孔部と、開孔部内に挿入される熱伝導性エンクロージャとを含む。熱伝導性エンクロージャは、実質的に完全にルーメン全体に延在する。サーミスタ温度センサは、搬送装置の中で容器に入れられ、ルーメンを通って注射器から流れる注入液の温度を判定するように、エンクロージャ内に受容される。測定された温度は、所望の血流速度情報を断定するために、使用される。
【０００９】
特許文献７および特許文献８（Ｅｌｓｏｎら）は、身体の外側にあるように構成される第１の端と、身体内で受容されるように構成される第２の端と、第１および第２の端の間で流体が通って流れることができる流路と、流体の特性を感知するためのセンサを含むプローブとを有する導管を備える、人体から、または人体へと流れる流体の特性を感知するためのシステムを開示している。プローブは、流路にセンサを有する導管上に備え付けられている。センサは、流路内を流れる流体から隔離されている。
【００１０】
関連技術は、いつくかの不利点を被る。特に、ＭａｇｌｉｏｃｈｅｔｔｉらおよびＣａｒｔｅｒ，Ｊｒ．らのシステムは、静脈ラインの特定の区間にシステムの用途を制限する傾向にある、サイズおよび／または備え付け要件を有する。したがって、操作者は、システム用途範囲外の所望の静脈ライン部位の条件を推定するか、またはそれらを補償するようにシステム設定を調整する必要がある。これは、所望の部位の流体温度の制御および測定に不正確さをもたらし得、それにより、患者を負傷の危険にさらす。加えて、Ｃａｒｔｅｒ，Ｊｒ．らのシステムは、操作者にいずれの温度指標も提供せずに、流体の温度制御のために温度を測定し、それにより、患者に未知の温度の流体を注入し得る。
【００１１】
ＳｃｈａｕｓおよびＤｉｅｄｒｉｃｈの装置は、非医療用流体システム用に考案されている。故に、これらの装置は非滅菌用途に用いられ、無菌性を必要とする医療用途には不向きである。これらの装置は流体温度を測定するが、これらの装置は、概して、操作者に温度の表示を提供しない。したがって、操作者が気付かないうちに流体が不適切な温度に到達する場合があり、望ましくない条件または結果に至り得る。Ｂｒｏｗｎの装置は、操作者が手作業で温度計を観察し、そこから流体温度を判定する必要がある。これは操作者の気を散らせ、流体温度の測定に関して操作者のエラーがもたらされる可能性を許し、それにより不適切な温度の流体の注入が可能となり、患者を負傷の危険にさらす。
【００１２】
Ｅｌｓｏｎら（特許文献７および特許文献８）およびＢａｒｋｅｒのシステムは、流体の温度制御、またはライン内の流体流れを制御する方式を提供していない。これは、患者への不適切な温度の流体の注入を可能にし、それによって、負傷の危険を高める可能性がある。
【先行技術文献】
【特許文献】
【００１３】
【特許文献１】米国特許第５，７２９，６５３号明細書
【特許文献２】米国特許第５，２５０，０３２号明細書
【特許文献３】米国特許第３，５２６，１３４号明細書
【特許文献４】米国特許第５，８２９，８８０号明細書
【特許文献５】米国特許第４，１３８，８９０号明細書
【特許文献６】米国特許第４，４７６，８７７号明細書
【特許文献７】米国特許第６，２４８，０７７号明細書
【特許文献８】米国特許第６，３３６，９０２号明細書
【発明の概要】
【発明が解決しようとする課題】
【００１４】
従って、静脈ラインに沿った任意の所望の部位に選択的に固定可能である温度感知装置を介して、静脈ライン内の流体の温度を測定することが、本発明の目的である。
【００１５】
静脈ラインに沿った任意の所望の場所における、静脈ライン内の流体の正確で信頼性のある温度指標を得て、温度指標を操作者に表示することが、本発明の別の目的である。
【００１６】
本発明のまた別の目的は、温度感知装置を静脈ラインに解除可能に固定し、ラインに沿った様々な場所の流体温度の測定を容易にすることである。
【００１７】
本発明のまた別の目的は、静脈ライン内の流体の無菌性を維持しながら静脈ライン内の流体の温度を測定するために、温度感知装置と共に温度センサの再使用を容易にすることである。
【００１８】
本発明のさらなる目的は、表示装置に連結される温度センサを用いて、ライン継手を介して静脈ライン内の流体の温度を測定し、表示することである。
【００１９】
本発明のまた別の目的は、静脈ライン内の流体の温度測定に基づいて、静脈ライン内を流れる流体の温度を制御することである。
【００２０】
本発明のまた別の目的は、患者の中に注入する前に、流体が確実に所望の温度に到達するように、静脈ライン内の流体流動を制御することである。
【００２１】
本発明のさらなる目的は、選択的に流体流路を遮る弁を使用して、静脈ラインに沿う流体流れを制御することである。
【００２２】
前述の目的は、個々に、および／または組み合わせて達成されてもよく、本明細書に添付される特許請求の範囲によって明示的に要求されない限り、本発明が、該目的のうちの２つ以上を組み合わせることを要すると解釈されることは、意図されていない。
【課題を解決するための手段】
【００２３】
本発明の実施形態によれば、装置は、静脈ラインに沿った選択された場所における静脈ライン内の流体の温度を測定する。装置は、静脈ラインの任意の所望の部分に固定可能であり、所望のライン部分内を流れる流体を測定するための、温度センサを含む。装置は、温度測定のための温度センサを受容するように、流体チャネルと、流体チャネルと流体連通している突出部とを含む、継手の形態であってもよい。温度センサを受容するように構成される熱伝導性レセプタクルが、突出部内に配置されてもよい。伝導性レセプタクルは、流体と直接接触するように部分的に流体チャネルの中に延在し、温度センサによる温度測定を可能にする。温度センサは、温度表示装置および／または制御装置に連結されて、それぞれ、測定された温度を表示し、および／またはライン内の流体の温度を調節するように熱要素を制御してもよい。
【００２４】
継手は、流体チャネルを通る流体の流れを制御する、制御弁をさらに含んでもよい。制御弁は、プランジャ式機構の形態であってもよく、ピストンは、流体チャネルに対してピストン開口部の位置を調整して、そのチャネル内の流体流れを制御するように、直線状に操作されてもよい。代替として、制御弁は、回転式機構として構成されてもよく、ピストンは、流体チャネルに対してピストン開口部の位置を調整するように、回転操作される。流体が患者の中への注入に適した温度に到達するまで、流体流動を阻止するように、制御弁を用いてもよい。加えて、装置は、さらに、患者の進入部位に近接して流体温度を測定するための針ハブに接続されるか、または針ハブの形態であってもよい。
【００２５】
本発明の上記およびまたさらなる目的、特徴、利点が、その具体的な実施形態の以下の詳細な説明を考慮し、特に、様々な図中の類似の参照番号が、類似の構成要素を指定するように用いられている、付随の図面と合わせて考慮に入れると、明白となるであろう。
例えば、本発明は以下の項目を提供する。
（項目１）
流体ライン内の殺菌した医療用流体の温度を測定する温度感知装置であって、
該流体ラインに固定可能である継手であって、
第１の開口端および第２の開口端であって、各端は該流体ラインの選択された部分に固定可能である、第１の開口端および第２の開口端と、
該流体ライン内を流れる該殺菌した医療用流体が該継手を通って流れることを可能にするための、該継手内に配置される通路と、
該医療用流体の温度を測定する温度センサを受容するための、該通路と流体連通している接続ポートと
を含む、継手を備え、
該継手は、流路中の該医療用流体を該温度センサの周囲に誘導するためのループ構成、該医療用流体を患者の中に誘導するための針ハブアセンブリ、および該継手を通る該医療用流体の流れを選択的に制御するための流れ制御装置のうちの少なくとも１つをさらに含む、温度感知装置。
（項目２）
熱伝導性レセプタクルであって、上記接続ポート内に固定され、かつ、部分的に上記通路内に延在して、該レセプタクルの遠位端が該通路内を流れる上記医療用流体と接触することを可能にする、熱伝導性レセプタクルをさらに含み、
上記温度センサは、上記継手を通って流れる該医療用流体の温度を測定するために、該レセプタクル内に解除可能に受容される、項目１に記述の温度感知装置。
（項目３）
上記接続ポートは、上記継手の外側表面から延在し、上記温度感知装置は、
上記温度センサを該接続ポートに固定する固定部材をさらに含み、該固定部材は、その中に画定される凹部を含み、該温度センサは、該凹部内に配置され、該固定部材が該接続ポートに固定されると、上記レセプタクルに接触するように延在する、項目２に記述の温度感知装置。
（項目４）
上記固定部材および上記接続ポートは、該固定部材を該接続ポートに解除可能に固定し、かつ、上記温度センサと上記レセプタクルとの間の接触を容易にするための係止機構を含む、項目３に記述の温度感知装置。
（項目５）
上記係止機構は、
上記接続ポートの外側表面に解除可能に取付けられる、少なくとも１つの突出部と、
対応する突出部と係合するように上記固定部材上に配置される、少なくとも１つの係合部材と
を含み、
該少なくとも１つの係合部材は、該固定部材の上記係合ポートからの解放に応じて、該対応する突出部を該接続ポートから除去し、それにより、該接続ポートの該固定部材との再係合および上記継手の再使用を防止するように構成される、項目４に記述の温度感知装置。
（項目６）
上記継手は、上記流れ制御装置を含む、項目１に記述の温度感知装置。
（項目７）
上記流れ制御装置は、該流れ制御装置を、上記継手を通る上記医療用流体の流動を可能にする状態に維持するための係止機構を含む、項目６に記述の温度感知装置。
（項目８）
上記流れ制御装置は、その中に摺動可能に配置される筐体およびピストンを含み、該ピストンは、開口部を含み、かつ、該開口部を上記通路と整列させて、上記継手内の上記医療用流体の流れを制御するように選択的に直線的に操作される、項目７に記述の温度感知装置。
（項目９）
上記係止機構は、上記ピストンの遠位部分に配置される突出部と、該ピストンが上記筐体内で遠位に押し進められることに応じて該突出部と係合するための、該筐体の遠位部分内に画定される凹部とを含む、項目８に記述の温度感知装置。
（項目１０）
上記流れ制御装置は、その中に回転可能に配置される筐体および弁部材を含み、該弁部材は、開口部を含み、かつ、該開口部を上記通路と整列するように選択的に回転させられることにより、上記継手内の上記医療用流体の流れを制御する、項目７に記述の温度感知装置。
（項目１１）
上記流れ制御装置は、上記弁部材を回転させるための回転可能な把持部材を含み、上記係止機構は、
該把持部材の遠位表面内に画定される複数の溝であって、各溝は、第１および第２の端と、これらの端の間に配置される段部とを含む、溝と、
上記筐体の近位部分から延在する複数の突出部と
を含み、
該突出部は、対応する溝の中に受容され、該把持部材の回転に応じてこれらの溝を横断することにより、該突出部が対応する溝の段部と溝の端との間の該溝の中に維持されることを可能にして、該把持部材のさらなる回転を防止する、項目１０に記述の温度感知装置。
（項目１２）
上記流れ制御装置は、上記測定された流体温度に基づいて制御装置によって制御される、項目６に記述の温度感知装置。
（項目１３）
上記継手は、上記医療用流体を上記温度センサの周囲に誘導するための少なくとも１つの巻きを有する、上記ループ構成を含む、項目１に記述の温度感知装置。
（項目１４）
上記継手は、上記針ハブアセンブリを含む、項目１に記述の温度感知装置。
（項目１５）
上記継手および針ハブアセンブリは、一体型ユニットとして形成される、項目１４に記述の温度感知装置。
（項目１６）
上記継手は、弁の形態である、項目１４に記述の温度感知装置。
（項目１７）
上記測定された流体温度を表示するための表示部をさらに含む、項目１に記述の温度感知装置。
（項目１８）
継手と、該継手を通って流れる流体の温度を測定するための温度センサとを含む温度感知装置を介して、医療用流体ライン内を流れる殺菌した医療用流体の温度を測定する方法であって、該継手は、第１および第２の開口端と、該継手内に配置され、該第１および第２の開口端の間に延在して、該流体ライン内を流れる流体が該継手を通って流れることを可能にする通路と、該通路と流体連通している接続ポートとを含み、該継手は、ループ構成、針ハブアセンブリ、および流れ制御装置のうちの少なくとも１つをさらに含み、該方法は、
（ａ）該継手の該第１および第２の端を該流体ラインの選択された部分に固定することと、
（ｂ）該接続ポート内に配置される該温度センサを介して、該継手を通って流れる流体の温度を測定し、該測定された流体温度を示す温度信号を生成することと、
（ｃ）該ループ構成を含む該継手に従って、該流体温度を測定するために、該ループ構成を通り、かつ該温度センサの周りの流路の中を該医療用流体を誘導することと、
（ｄ）該流れ制御装置を含む該継手に従って、該流れ制御装置を介して、該継手を通る該医療用流体の流れを選択的に制御することと、
（ｅ）該針ハブアセンブリを含む該継手に従って、該針ハブアセンブリを介して、該医療用流体を該通路から患者の中に誘導することと
を含む、方法。
（項目１９）
上記継手は、上記接続ポート内に配置され、かつ、上記通路内を流れる流体と直接接触するレセプタクルをさらに含み、ステップ（ｂ）は、
（ｂ．１）該レセプタクルに接触するように、上記温度センサを該接続ポート内に挿入することと、
（ｂ．２）該継手内を流れる流体の温度を間接的に決定するために、該レセプタクルの温度を測定することと
をさらに含む、項目１８に記述の方法。
（項目２０）
上記接続ポートは、上記継手の外側表面から延在し、上記温度感知装置は、上記温度センサを該接続ポートに固定するための固定部材をさらに含み、該固定部材はその中に画定される凹部を含み、該温度センサは該凹部内に配置され、ステップ（ｂ．１）は、
（ｂ．１．１）該固定部材を介して、該温度センサを該接続ポートに固定することであって、該温度センサは上記レセプタクルと接触して配置される、ことをさらに含む、項目１９に記述の方法。
（項目２１）
上記固定部材および上記接続ポートは、該固定部材を該接続ポートに解除可能に固定するための係止機構を含み、ステップ（ｂ．１．１）は、
（ｂ．１．１．１）該接続ポートを上記凹部内に配置して、上記温度センサが上記レセプタクルと接触することを可能にすることにより、該固定部材を該接続ポートに係止することをさらに含む、項目２０に記述の方法。
（項目２２）
上記継手は、上記流れ制御装置を含む、項目１８に記述の方法。
（項目２３）
上記流れ制御装置は、その中に摺動可能に配置される筐体およびピストンを含み、該ピストンは開口部を含み、ステップ（ｄ）は、
（ｄ．１）該開口部を上記通路と整列させるように選択的に該ピストンを直線的に操作することにより、上記継手内の上記医療用流体の流れを制御することをさらに含む、項目２２に記述の方法。
（項目２４）
上記流れ制御装置は係止機構を含み、ステップ（ｄ）は、
（ｄ．２）該流れ制御装置を、上記継手を通る上記医療用流体の流動を可能にする状態に維持することをさらに含む、項目２３に記述の方法。
（項目２５）
上記係止機構は、上記ピストンの遠位部分に配置される突出部と、上記筐体の遠位部分内に画定される凹部とを含み、ステップ（ｄ．２）は、
（ｄ．２．１）該ピストンが該筐体内で遠位に押し進められることに応じて、該突出部を該凹部と係合することをさらに含む、項目２４に記述の方法。
（項目２６）
上記流れ制御装置は、その中に回転可能に配置される筐体および弁部材を含み、該弁部材は開口部を含み、ステップ（ｄ）は、
（ｄ．１）上記継手内の上記医療用流体の流れを制御するために、該開口部を上記通路と整列させるように該弁部材を選択的に回転させることをさらに含む、項目２２に記述の方法。
（項目２７）
上記流れ制御装置は係止機構を含み、ステップ（ｄ）は、
（ｄ．２）該流れ制御装置を、上記継手を通る上記医療用流体の流動を可能にする状態に維持することをさらに含む、項目２６に記述の方法。
（項目２８）
上記流れ制御装置は、上記弁部材を回転させるための回転可能な把持部材を含み、上記係止機構は、該把持部材の遠位表面内に画定される複数の溝を含み、各溝は、第１および第２の端と、これらの端の間に配置される段部と、上記筐体の近位部分から延在する複数の突出部とを含み、ステップ（ｄ．２）は、
（ｄ．２．１）対応する溝の中に該突出部を受容し、該把持部材の回転に応じてこれらの溝を該突出部と交差させ、該溝の中の対応する溝の段部と溝の端との間に該突出部を維持して該把持部材のさらなる回転を防止することをさらに含む、項目２７に記述の方法。
（項目２９）
ステップ（ｄ）は、
（ｄ．１）上記測定された流体温度に基づいて上記流れ制御装置を制御することをさらに含む、項目２２に記述の方法。
（項目３０）
上記継手は、上記ループ構成を含む、項目１８に記述の方法。
（項目３１）
上記継手は、上記針ハブアセンブリを含む、項目１８に記述の方法。
（項目３２）
上記継手および針ハブアセンブリは、一体型ユニットとして形成される、項目３１に記述の方法。
（項目３３）
上記継手は、弁の形態である、項目３１に記述の方法。
（項目３４）
ステップ（ｂ）は、
（ｂ．１）上記測定された流体温度を表示することをさらに含む、項目１８に記述の方法。
（項目３５）
殺菌した医療用流体の温度を測定する温度感知装置であって、
殺菌した医療用流体を収容するための医療用流体容器と、
そこから該殺菌した医療用流体を受容して該医療用流体を患者に向かって導くために、該医療用流体容器に連結される、流体ラインと、
該医療用流体容器および該流体ラインのうちの少なくとも１つに固定可能であり、該殺菌した医療用流体を熱処理するように動作可能である、少なくとも１つの熱処理装置と、
該流体ラインに沿って選択された場所に配置される継手であって、
第１の開口端および第２の開口端であって、各端が、該流体ラインの選択された部分に固定可能である、第１の開口端および第２の開口端と、
該流体ライン内を流れる該殺菌した医療用流体が該継手を通って流れることを可能にするように、該継手内に配置される、通路と、
該通路と流体連通している接続ポートと、
を含む、継手と、
該継手を通って流れる該殺菌した医療用流体の温度を測定し、該測定された流体温度を示す電気的温度信号を生成するように、接続ポート内に設置するための温度センサと、
該少なくとも１つの熱処理装置を制御して、該測定された流体温度に基づいて該医療用流体を所望の温度に熱処理するように、該温度センサおよび該少なくとも１つの熱処理装置に連結される、制御装置と
を含む、温度感知装置。
（項目３６）
上記所望の温度は、ユーザにより入力される、項目３５に記述の温度感知装置。
（項目３７）
上記熱処理装置は、加熱および冷却のうちの少なくとも１つの形態で、上記医療用流体を熱処理する、項目３５に記述の温度感知装置。
（項目３８）
上記制御装置は、上記測定された流体温度を表示する、項目３５に記述の温度感知装置。
（項目３９）
熱伝導性レセプタクルであって、上記接続ポート内に固定され、部分的に上記通路内に延在することにより、該レセプタクルの遠位端が該通路内を流れる上記医療用流体と接触することを可能にする、熱伝導性レセプタクルをさらに含み、
上記温度センサは、上記継手を通って流れる該医療用流体の温度を測定するように、該レセプタクル内に解除可能に受容される、項目３５に記述の温度感知装置。
（項目４０）
上記接続ポ.ートは、上記継手の外側表面から延在し、上記温度感知装置は、
上記温度センサを該接続ポートに固定するための固定部材をさらに含み、該固定部材はその中に画定される凹部を含み、該温度センサは、該凹部内に配置され、かつ、該固定部材が該接続ポートに固定されると上記レセプタクルに接触するように延在する、項目３９に記述の温度感知装置。
（項目４１）
上記固定部材および上記接続ポートは、該固定部材を該接続ポートに解除可能に固定し、上記温度センサと上記レセプタクルとの間の接触を容易にするための係止機構を含む、項目４０に記述の温度感知装置。
（項目４２）
上記継手は、該継手を通る上記医療用流体の流れを選択的に制御するための流れ制御装置をさらに含む、項目３５に記述の温度感知装置。
（項目４３）
上記流れ制御装置は、該流れ制御装置を、上記継手を通る上記医療用流体の流動を可能にする状態に維持するための係止機構を含む、項目４２に記述の温度感知装置。
（項目４４）
上記流れ制御装置は、その中に摺動可能に配置される筐体およびピストンを含み、該ピストンは、開口部を含み、かつ、該開口部を上記通路と整列させるように選択的に直線的に操作することにより、上記継手内の上記医療用流体の流れを制御する、項目４２に記述の温度感知装置。
（項目４５）
上記流れ制御装置は、その中に回転可能に配置される筐体および弁部材を含み、該弁部材は、開口部を含み、かつ、該開口部を上記通路と整列させるように選択的に回転させられることにより、上記継手内の上記医療用流体の流れを制御する、項目４２に記述の温度感知装置。
（項目４６）
上記制御装置は、上記流れ制御装置に連結され、かつ、該流れ制御装置を操作することにより、上記測定された流体温度に基づいて上記医療用流体の流れを制御する、項目４２に記述の温度感知装置。
（項目４７）
上記継手は、上記医療用流体を上記温度センサの周囲の流路に誘導するためのループ構成を含む、項目３５に記述の温度感知装置。
（項目４８）
上記医療用流体を患者の中に誘導するために、上記継手に連結される針ハブアセンブリをさらに含む、項目３５に記述の温度感知装置。
（項目４９）
上記制御装置は、上記測定された流体温度を記録してレポートを生成する、項目３５に記述の温度感知装置。
（項目５０）
上記測定された流体温度および上記レポートのうちの少なくとも１つを印刷するために、プリンタをさらに含む、項目４９に記述の温度感知装置。
（項目５１）
上記制御装置は、上記レポートを別の装置に伝達するために、通信モジュールを含む、項目４９に記述の温度感知装置。
（項目５２）
継手と該継手を通って流れる流体の温度を測定するための温度センサとを含む温度感知装置を介して、医療用流体ライン内を流れる殺菌した医療用流体の温度を測定する方法であって、該継手は、第１および第２の開口端と、該継手内に配置され、かつ、該第１および第２の開口端の間に延在して該流体ライン内を流れる流体が該継手を通って流れることを可能にする通路と、該通路と流体連通している接続ポートとを含み、該方法は、
（ａ）該継手の該第１および第２の端を該流体ラインの選択された部分に固定することと、
（ｂ）該接続ポート内に配置される該温度センサを介して、該継手を通って流れる流体の温度を測定し、該測定された流体温度を示す温度信号を生成することと、
（ｃ）該測定された流体温度に基づいて該医療用流体を所望の温度に熱処理するために、該流体ラインおよび流体源のうちの少なくとも１つに近接して配置される少なくとも１つの熱処理装置を、制御装置を介して制御することと
を含む、方法。
（項目５３）
ステップ（ｃ）は、
（ｃ．１）ユーザによる上記制御装置への上記所望の温度の入力を容易にすることをさらに含む、項目５２に記述の方法。
（項目５４）
各熱処理装置は、加熱および冷却のうちの少なくとも１つの形態で、上記医療用流体を熱処理する、項目５２に記述の方法。
（項目５５）
ステップ（ｂ）は、
（ｂ．１）上記測定された流体温度を表示することをさらに含む、項目５２に記述の方法。
（項目５６）
上記継手は、上記接続ポート内に配置され、上記通路内を流れる流体と直接接触するレセプタクルをさらに含み、ステップ（ｂ）は、
（ｂ．１）該レセプタクルに接触するように、上記温度センサを該接続ポート内に挿入することと、
（ｂ．２）該継手内を流れる流体の温度を間接的に決定するために、該レセプタクルの温度を測定することと
をさらに含む、項目５２に記述の方法。
（項目５７）
上記継手は流れ制御装置をさらに含み、ステップ（ｂ）は、
（ｂ．１）該継手を通る上記医療用流体の流れを選択的に制御することをさらに含む、項目５２に記述の方法。
（項目５８）
ステップ（ｃ）は、
（ｃ．１）上記測定された流体温度に基づいて上記流れ制御装置を制御することをさらに含む、項目５７に記述の方法。
（項目５９）
上記継手はループ構成を含み、ステップ（ｂ）は、
（ｂ．１）上記医療用流体を上記温度センサの周囲の流路に誘導することをさらに含む、項目５２に記述の方法。
（項目６０）
上記継手は、該継手に連結される針ハブアセンブリを含み、ステップ（ｃ）は、
（ｃ．１）上記医療用流体を患者の中に誘導することをさらに含む、項目５２に記述の方法。
（項目６１）
（ｄ）上記制御装置を介して、上記測定された流体温度を記録してレポートを生成することをさらに含む、項目５２に記述の方法。
（項目６２）
（ｅ）上記測定された流体温度および上記レポートのうちの少なくとも１つをプリンタを介して印刷することをさらに含む、項目６１に記述の方法。
（項目６３）
（ｅ）通信モジュールを介して上記報告を別の装置に伝達することをさらに含む、項目６１に記述の方法。
（項目６４）
流体ライン内の殺菌した医療用流体の温度を測定する温度感知装置であって、
該流体ラインに固定可能である継手であって、
第１の開口端および第２の開口端であって、各端は、該流体ラインの選択された部分に固定可能である、第１の開口端および第２の開口端と、
該流体ライン内を流れる該殺菌した医療用流体が該継手を通って流れることを可能にするために該継手内に配置される、通路と、
該通路と流体連通している接続ポートと、
該接続ポート内に固定される熱伝導性レセプタクルであって、該レセプタクルは、該レセプタクルの遠位端が該通路内を流れる該医療用流体に接触することを可能にするように、該通路内において、最大で該通路の横断寸法の半分まで部分的に延在し、該レセプタクルは、該医療用流体の温度を測定するための温度センサを受容する、レセプタクルと
を含む継手を含む、温度感知装置。
（項目６５）
上記レセプタクルは、上記通路内において、最大で該通路の横断寸法の４分の１まで部分的に延在する、項目６４に記述の温度感知装置。
（項目６６）
継手と、該継手を通って流れる流体の温度を測定するための温度センサとを含む温度感知装置を介して、医療用流体ライン内を流れる殺菌した医療用流体の温度を測定する方法であって、該継手は、第１および第２の開口端と、該継手内に配置され、かつ、該第１および第２の開口端の間に延在して該流体ライン内を流れる流体が該継手を通って流れることを可能にする通路と、該通路と流体連通している接続ポートと、該接続ポート内に配置され、かつ、該通路内を流れる流体と直接接触するレセプタクルとを含み、該方法は、
（ａ）該継手の該第１および第２の端を、該流体ラインの選択された部分に固定することと、
（ｂ）該レセプタクルに接触するように、該接続ポート内に該温度センサを挿入することであって、該レセプタクルは、該レセプタクルの遠位端が該通路内を流れる該医療用流体に接触することを可能にするように、該通路内において、最大で該通路の横断寸法の半分まで部分的に延在する、ことと、
（ｃ）該レセプタクルの温度を測定し、かつ、該測定された流体温度を示す温度信号を生成することにより、該継手を通って流れる流体の温度を測定することと
を含む、方法。
（項目６７）
上記レセプタクルは、上記通路内において、最大で該通路の横断寸法の４分の１まで部分的に延在する、項目６６に記述の方法。
【図面の簡単な説明】
【００２６】
【図１】図１は、本発明の実施形態による、ライン継手の形態の温度感知装置の斜視図である。
【図２】図２は、注入装置と共に用いられた、図１の温度感知装置の斜視図である。
【図３】図３は、本発明の実施形態による、静脈ライン内の流体の温度を制御するための制御回路網の、概略ブロック図である。
【図４】図４は、本発明の実施形態による、温度センサを受容するための熱伝導性レセプタクルを備える継手を含む、静脈流体ライン用の温度感知装置の斜視図である。
【図５】図５は、図４の継手の中で用いられているレセプタクルの斜視図である。
【図６】図６は、温度センサを図４の温度感知装置に固定する係止機構の斜視図である。
【図７】図７は、温度センサを温度感知装置に固定する、図６の係止機構の断面立面図である。
【図８Ａ】図８Ａ−８Ｃは、本発明の実施形態による、温度センサを取り囲むループ状流体流路を含むライン継手の形態の、温度感知装置の斜視図である。
【図８Ｂ】図８Ａ−８Ｃは、本発明の実施形態による、温度センサを取り囲むループ状流体流路を含むライン継手の形態の、温度感知装置の斜視図である。
【図８Ｃ】図８Ａ−８Ｃは、本発明の実施形態による、温度センサを取り囲むループ状流体流路を含むライン継手の形態の、温度感知装置の斜視図である。
【図９Ａ】図９Ａ−９Ｃは、本発明の実施形態による、プランジャ式流体流れ制御機構を含む温度感知装置の斜視図である。
【図９Ｂ】図９Ａ−９Ｃは、本発明の実施形態による、プランジャ式流体流れ制御機構を含む温度感知装置の斜視図である。
【図９Ｃ】図９Ａ−９Ｃは、本発明の実施形態による、プランジャ式流体流れ制御機構を含む温度感知装置の斜視図である。
【図１０Ａ】図１０Ａ−１０Ｄは、本発明の実施形態による、回転式流体流れ制御機構を含む温度感知装置の斜視図である。
【図１０Ｂ】図１０Ａ−１０Ｄは、本発明の実施形態による、回転式流体流れ制御機構を含む温度感知装置の斜視図である。
【図１０Ｃ】図１０Ａ−１０Ｄは、本発明の実施形態による、回転式流体流れ制御機構を含む温度感知装置の斜視図である。
【図１０Ｄ】図１０Ａ−１０Ｄは、本発明の実施形態による、回転式流体流れ制御機構を含む温度感知装置の斜視図である。
【図１１】図１１は、本発明の実施形態による、患者の進入部位に近接する流体の温度を測定する温度感知装置の斜視図である。
【図１２】図１２は、本発明による、患者の進入部位に近接して流体の温度を測定する、図１１の温度感知装置の代替実施形態の斜視図である。
【発明を実施するための形態】
【００２７】
本発明の実施形態による、静脈（ＩＶ）内または他の医療用流体ライン内での、そのラインに沿った所望の場所での、流体の温度を測定するための温度感知装置を図１に示す。具体的には、温度感知装置１０は、ベース部分３０と、ベース部分の中間区間から横方向に延在する突出部４０とを含む、継手２０の形態であってもよい。一例に過ぎないが、継手はＴ型構成を含み、しかしながら、任意の好適な構成（例えば、Ｙ型継手、十字型継手、連結器等）が利用され得る。ベース部分３０は、第１の開口端５０Ａと、第２の開口端５０Ｂと、流体流動が継手を通ることを可能にするように、ベース部分を通って長手方向に画定されるチャネルまたは流体導管６０とを備え、実質的に円筒状である。ベース部分チャネル６０は、概して均一な寸法を含むことが好ましいが、チャネル寸法は、チャネルに沿って異なってもよい（例えば、チャネル寸法が変動するか、または、開口端５０Ａ、５０Ｂの間で次第に増大するか、もしくは減少してもよい）。加えて、ベース部分、突出部、およびチャネルは、代替として、任意の好適なサイズまたは形状であってもよい。
【００２８】
第１の開口端５０Ａは、好ましくは、流体源に連結される静脈ライン７０の対応する断片に接続され、一方、第２の開口端５０Ｂは、典型的には、患者の進入部位に連結される、対応する静脈ライン断片に固定される。開口端５０Ａ、５０Ｂは、好ましくは、ルアーロックまたは他のコネクタ７５を介して、静脈ライン７０の選択された部分に解除可能に固定される。しかしながら、継手開口端は、任意の従来または他の技術（例えば、摩擦嵌合配列、クランプ、ブラケット、コネクタ等）を介して、静脈ライン断片に固定されてもよい。
【００２９】
継手２０は、典型的には、静脈ライン７０から除去され、流体の無菌性を確実にするように、それぞれ使用後に取り替えられる。代替として、継手２０は、使い捨て静脈ラインセットを形成するように、（例えば、継手の端５０Ａ、５０Ｂを静脈ラインの部分に付着または溶接することにより）静脈ライン７０に恒久的に固定されてもよい。継手２０は、静脈ラインとの使用に好適なプラスチックまたは任意の他の剛性材料から構成されてもよい。
【００３０】
突出部４０は、温度センサの少なくとも一部分が、流体チャネル６０を通って流れる流体と熱的に関係するように、継手２０内に温度センサまたはプローブ９０をしっかりと固定する役割を果たす。突出部４０は概して円筒状であり、流体チャネル６０へのアクセスを容易にするために開口端を含む。温度センサ９０は、突出部４０の中に挿入され、流体チャネル６０内に部分的に延在し、そのチャネル内を流れる流体に直接接触する。温度センサ９０は、任意の従来の、または他の温度センサ（例えば、ＲＴＤ、ＩＲ、ＮＴＣ、サーミスタ、サーモカップル等）によって実装されてもよく、任意の固定機構（例えば、摩擦嵌合、接着剤等）を介して突出部内に固定されてもよい。
【００３１】
温度センサ９０は、静脈流体を継手２０内に維持するために、流体のベース部分チャネル６０との流体密を提供する様式で、突出部４０内に配置される。一例として、温度センサ９０は、迅速な取付け／取外し機構を提供し、温度センサが突出部に適切に着座されたことを保証するために、突出部４０上の相補的なねじと嵌合するように構成されるねじを含んでもよい。センサ配線９５は、測定された温度を表示するためのモニタ装置１００に、または静脈ライン７０内の流体を所望の温度に熱処理するために、熱処理装置もしくは要素を制御する制御装置１２５に温度センサ９０を接続してもよい。
【００３２】
温度感知装置１０は、図２に示すように、注入装置の静脈ライン７０に沿って配置されてもよい。具体的には、注入装置１１０は、静脈支柱１３０と、そこから吊り下げされる溶液バッグ１２０と、溶液バッグから患者への溶液の流動を可能にする静脈ライン７０とを含む。温度感知装置１０は、静脈流体ライン内の流体の温度を測定するために、静脈ライン７０の任意の選択された部分に解除可能に取付けられてもよい。注入装置は、センサ配線９５を介して温度感知装置１０と通信する、モニタ装置１００をさらに含んでもよい。モニタ装置１００は、静脈ライン７０に沿った、操作者が選択した場所の流体温度測定値の指示を操作者に提供するように構成される。モニタ装置１００は、代替として、任意の好適な方法（例えば、電気的ライン、ＲＦ、ＩＲ等）で、温度感知装置１０と通信してもよい。
【００３３】
モニタ装置１００は、典型的には、温度表示部１４０（例えば、ＬＥＤまたはＬＣＤ）と、１つ以上の入力装置またはボタン１５０と、モニタ装置の動作を制御して、温度感知装置１０から受信される信号に基づいて、流体温度を判定するプロセッサとを含む。表示部は、典型的には、温度センサ９０によって測定される温度を指示し、ボタン１５０を介して操作者によって入力される、所望のまたは設定点の温度をさらに指示してもよい。モニタ装置は、温度感知装置１０によって測定される温度が、設定点温度の所望の範囲内（または外）にある時に、さらに指示を提供してもよい。一例として、モニタ装置は、操作者に測定された温度を通知するために聴覚的および／または視覚的指示部（例えば、ポケットベルもしくはブザー、スピーカ、様々な色の発光ダイオード（例えば、緑色ダイオード、黄色ダイオード、および赤色ダイオード）等）をさらに含んでもよい。加えて、モニタ装置１００は、測定された静脈流体温度に関連するデータを印刷および／または記録するために、プリンタおよび／またはデータ記録装置を含んでもよい。温度感知装置１０と共に使用するための例示的なモニタ装置は、Ｆｌｕｋｅ  Ｃｏｒｐｏｒａｔｉｏｎより入手可能なＦｌｕｋｅ５０Ｓ手持ち式温度計、およびＥｘｔｅｃｈ  Ｉｎｓｔｒｕｍｅｎｔｓより入手可能な印刷式温度計を含む。
【００３４】
代替として、注入装置１１０は、１つ以上の熱処理装置１７５と、熱処理装置に連結される制御装置１２５と、温度感知装置１０とを含んでもよい。熱処理装置は、溶液バッグおよび／または静脈ライン内を流れる流体を、所望の温度、好ましくは、３３°Ｆ−１５０°Ｆの範囲に熱処理（例えば、加熱および／または冷却）するように、溶液バッグ１２０および／または静脈ライン７０に近接する様々な場所に配置されてもよい。熱処理装置は、任意の従来のまたは他の種類の加熱および／または冷却要素（例えば、パッド、ワイヤ、熱交換流体を用いる装置、加熱コイル、冷却コイル等）により実装されてもよく、任意の好適な所望の温度または温度範囲に流体を熱処理してもよい。加えて、熱処理装置は、任意の数量および寸法であってもよく、流体を熱処理するために好適な任意の構成を含んでもよく（例えば、帯状の物、棒状の物、断片等）、任意の従来のまたは他の技術（例えば、マジックテープ（登録商標）、ブラケット、レセプタクル、クランプ等）を介して、溶液バッグおよび／または静脈ライン７０に沿った任意の場所に固定されてもよい。制御装置１２５は、センサ配線９５を介して温度感知装置１０から測定された温度を受信し、溶液バッグ１２０および／または静脈ライン７０内の流体を所望のまたは設定点温度に熱処理（例えば、加熱および／または冷却）するように、熱処理装置１７５を制御する。制御装置は、測定されたおよび／または設定点温度をさらに操作者に表示してもよい。制御装置１２５は、代替として、任意の好適な方法（例えば、電気的ライン、ＲＦ、ＩＲ等）で、温度感知装置１０と通信してもよい。
【００３５】
本発明の実施形態による制御装置１２５用の制御回路を図３に示す。具体的には、制御回路１２７は、電力供給装置１６０と、電源スイッチ１６５と、温度制御装置１７０とを含む。電力供給装置１６０は、任意の従来のまたは他の電力供給装置によって実装されてもよく、典型的には、制御回路構成要素に適切な電力信号を提供する（例えば、ＡＣまたはＤＣ電力信号を受信し、任意の適切な電力レベルのＡＣまたはＤＣ電力信号を提供してもよい）電源スイッチ１６５は、任意の好適な切替え装置（例えば、ボタン、スイッチ等）により実装されてもよく、制御回路構成要素への電力を可能にする。温度制御装置１７０は、熱処理装置１７５および温度センサ９０に動作可能に接続される。温度制御装置は、操作者が入力した設定点温度、および温度センサ９０によって測定された温度に従い、熱処理装置を制御する。
【００３６】
温度制御装置１７０は、任意の従来のまたは他の温度制御装置もしくはプロセッサ（例えば、マイクロプロセッサ、制御装置等）によって実装されてもよく、表示部１４５および入力装置１５５を含む。入力装置は、様々な情報（例えば、設定点または所望の流体温度等）の入力を可能にし、一方、表示部は、任意の所望の情報（例えば、測定されたおよび／または設定点の温度等）を表示することができる。
【００３７】
制御回路１２７は、温度制御装置１７０と熱処理装置１７５との間に配置されるサーモスタット１９０をさらに含んでもよい。サーモスタットは、熱処理装置の温度を測定することができ、温度閾値を超える装置の温度測定に応じて装置を停止させる。例えば、サーモスタット１９０は、過度の加熱要素温度の検出に応じて、加熱要素の形態の熱処理装置を停止させることができる。サーモスタットは、任意の従来のまたは他の切替え型のまたは制限的な装置（例えば、高制限サーモスタット等）によって実装されてもよい。
【００３８】
制御回路１２７は、温度感知装置１０によって測定された温度が設定点温度の所望の範囲内（または外）にあるときに、さらに指示を提供してもよい。一例として、制御回路は、操作者に測定された温度を通知するように、聴覚的および／または視覚的指示部１３５（例えば、ポケットベルもしくはブザー、スピーカ、様々な色の発光ダイオード（例えば、緑色ダイオード、黄色ダイオード、および赤色ダイオード）等）をさらに含んでもよい。制御回路（例えば、温度制御装置１７０）は、特定の決定された条件（例えば、所望の設定点温度を超える温度等）を指示するように、任意の様式の指示部を選択的に作動させてもよい。
【００３９】
加えて、制御回路は、システム条件（例えば、時間、日付、温度等）を測定、記録、および／またはレポート（例えば、ハードコピーまたは電子的形態）を提供するための装置を含んでもよい。レポートは、医療関係者に、加熱（および／または冷却）特性に関する彼らのファイルのための資料を提供する。作成される主な情報は、溶液熱処理の開始日および開示時間、溶液が熱処理された時間間隔、および熱処理中に溶液が到達した温度である（例えば、時間および溶液温度の部分的な、または全体的な履歴）。レポートは、様々な情報（例えば、施設名および場所、患者情報、医師情報、手順の種類、熱処理される溶液の種類、熱処理される溶液の量等）をさらに含んでもよい。
【００４０】
具体的には、制御回路は、プロセッサ２００と、プリンタ２１０と、通信モジュール２２０とを含んでもよい。これらの構成要素は、本明細書に記述される機能を実行する、任意の従来のまたは他の構成要素により実装され得る。プロセッサ２００は、温度センサ９０に関する情報（例えば、流体温度）および熱処理装置の温度を受信するように、温度制御装置１７０に連結される。プロセッサ２００は、医療関係者またはユーザから、プロセッサ入力装置を介して、任意の追加情報（例えば、施設情報、医師情報、患者情報、溶液情報、機器情報等）を受信してもよい。プロセッサは、日付、加熱および／または冷却経過時間、事象または条件（例えば、設定点温度が設定された、または到達された時間）の発生時間をさらに維持する。プロセッサ２００は、温度制御装置から受信された信号に基づいて、経過時間を測定するか、または発生時間を記録してもよい。例えば、プロセッサ２００は、医療関係者が、情報をプロセッサ入力装置（例えば、起動および停止キー）に手動で入力するのに応じて、経過時間を測定するか、または経過および／または発生時間を記録してもよい。プロセッサ２００は、適切な情報を収集し、情報をレポートにまとめる。レポートは、任意の様式にまとめられてもよく、任意の所望の情報を含んでもよい。さらに、レポートおよび／または情報は、その後の検索のために、データベースまたはメモリ装置（例えば、ローカルメモリ、リムーバブルメモリ、カード、ディスク、スマートカード、ＵＳＢメモリ装置等）に保存されてもよい。加えて、プロセッサ２００は、経過（または実行）時間、レポート、または任意の所望の情報を医療関係者に表示するように、プロセッサまたはシステム表示部２３０に連結されてもよい。表示される情報は、プロセッサ入力装置を介して選択されてもよく、あるいは、表示部は、表示制御（例えば、ボタン、キー等）を含んでもよい。システム表示部２３０は、任意の形状またはサイズの任意の従来のまたは他の表示部により実装されてもよく、任意の所望の場所において、制御装置１２５上に配置されてもよい。
【００４１】
プロセッサ２００は、情報をユーザに提供するためにプリンタ２１０および通信モジュール２２０に連結される。プリンタ２１０は、基本的にハードコピー形態のレポートを提供する。プロセッサは、特定の時間（例えば、処理の終了時、１日のうちの特定の時間、特定の数量の使用後等）に、またはプロセッサ入力装置（例えば、印刷キー）を介した医療関係者からの要求に応じて、レポートを作成するようにプリンタを制御してもよい。プリンタ２１０は、任意の所望のハードコピー媒体にレポートを印刷することができる。医療ファイルに貼られるラベル上に、プリンタが情報を置くことが好ましい。情報は、溶液の熱処理中またはその後に印刷されてもよく、またはメモリ装置上に保存されて、上述の所望の時間に印刷されてもよい。プリンタ２１０は、ユーザ要求に応じてレポートの追加複写をさらに提供してもよく、または自動的に複製物を作成する媒体が利用されてもよい（例えば、ノーカーボン紙等）。
【００４２】
通信モジュール２２０は、レポートが電子的形態で提供されることを可能にする。本モジュールは、基本的に、レポートの他の装置への転送またはダウンロードのために、他の装置との通信を容易にする。例えば、情報は、表示、保存、および／または印刷のために、ネットワークまたは他の通信媒体を介して、別の装置（例えば、ＰＤＡ、コンピュータ、スマートカード、ＵＳＢメモリドライブ、ＢＬＵＥＴＯＯＴＨ、または他の無線技術等）へダウンロードまたは伝達されてもよい。さらに、通信モジュール２２０は、レポートのための、データベースまたは他の供給源からの情報（例えば、患者情報、施設情報、医師情報、溶液情報、機器情報等）の検索を容易にすることができる。
【００４３】
温度感知装置１０の動作について、図１−３を参照して記述する。まず、温度感知装置１０が、静脈ライン７０に、ベース部分開口端５０Ａ、５０Ｂを、静脈ラインの操作者が選択した部分に固定することによって取付けられる。センサ配線９５が、温度表示のためにモニタ装置１００に、または温度表示および制御のために制御装置１２５に接続される。流体の所望の、または設定点の温度が、操作者によってモニタ装置または制御装置に入力されてもよい。溶液バッグ１２０からの静脈流体が、静脈ラインおよび継手２０を通って流れることが可能になる。流体が継手２０を通って流れると、温度センサ９０はチャネル６０内を流れる流体と接触し、それにより流体の温度を直接測定する。温度センサは、表示部１４０に流体温度を表示するために、センサ配線９５を介してモニタ装置１００に測定された温度情報を伝達してもよい。モニタ装置は、操作者に、測定された流体温度が設定点温度、または上述の温度範囲を超えることを通知するために、視覚的および／または聴覚的指示部をさらに作動させてもよい。
【００４４】
代替として、温度センサは、流体温度の制御および表示のために、センサ配線９５を介して制御装置１２５に測定された温度情報を伝達してもよい。特に、制御装置１２５は、測定された流体温度を受信し、流体を所望の温度に熱処理（例えば、加熱および／または冷却）するために熱処理装置１７５を制御する。温度制御装置１７０は、基本的に、温度センサ９０によって測定された温度と、ユーザによって入力された設定点温度との比較に基づいて、熱処理装置１７５への電力を制御する。例えば、測定された温度が設定点温度を超えると、制御装置１７０は、加熱要素の形態の熱処理装置１７５への電力を停止また低減してもよく、設定点温度を下回る測定された流体温度に応じて、これらの装置への電力を使用可能または増加させてもよい。代替として、温度制御装置は、測定された温度と設定点温度との比較に従って、熱処理装置の加熱および冷却モードを交互に行ってもよい。さらに、サーモスタット１９０は、上述の通り、温度閾値を超える温度測定に応じて熱処理装置を停止させてもよい。
【００４５】
温度制御装置は、測定されたおよび／もしくは設定点の温度、または任意の他の所望の情報をさらに表示部１４５に表示してもよい。表示する情報は、入力装置１５５を介してユーザによって選択されてもよい。制御装置は、上述のように、操作者に、測定された流体温度が設定点温度または範囲を超えることを通知するために、視覚的および／または聴覚的指示部をさらに作動させてもよい。加えて、プロセッサ２００は、上述のように、温度制御装置１７０および／またはプロセッサ入力装置から受信された情報を含むレポートを作成してもよい。レポートは、上述のように、プリンタ２１０により作成されてもよく、または通信モジュール２２０を介して別の装置に伝達されてもよい。注入、温度測定、または医療手順の完了後、センサ配線９５は、モニタ装置または制御装置から解放されてもよく、一方、継手（または継手を含む静脈ラインセット）は廃棄される。
【００４６】
温度感知装置１０は、代替として、図４に示すように、温度センサ９０に解除可能に係合するように構成されてもよい。具体的には、温度感知装置１０は、上述の温度感知装置と実質的に類似し、ベース部分３０および突出部４０を備える継手２０を含む。突出部は、ベース部分３０の中間区間から横方向に延在し、一方、ベース部分３０は、開口端５０Ａ、５０Ｂ、および上述のようにベース部分３０を通る流体の流動を可能にするように構成される長手方向のチャネルまたは流体導管６０を含む。開口端５０Ａ、５０Ｂは、再使用可能な静脈ラインセットを形成するように、静脈ライン７０の選択された部分に、（例えば、ルアーロックまたは他のコネクタ７５を介して）解除可能に固定されてもよく、あるいは使い捨て静脈ラインセットを形成するように、（例えば、継手の端を静脈ラインの部分に溶接することにより）静脈ラインに恒久的に固定されてもよい。
【００４７】
熱伝導性レセプタクルまたはカップ８０が、突出部４０内に配置され、流体チャネル６０を流れる流体と接触するように、その中に部分的に延在する。レセプタクル８０は、好ましくは、熱伝導性材料（例えば、ステンレス鋼、銅、アルミニウム等の金属類）から形成され、任意の好適な固定技術（例えば、摩擦嵌合、接着剤等）を介して突出部内に固定されてもよい。レセプタクル８０は、温度センサ９０の外部表面と、レセプタクルの内側底面および／または側面との間の接触を可能にするための十分な寸法を含み、レセプタクルおよびセンサは、流体からの、レセプタクルを通ってセンサまでの効率的な熱伝導のために、センサがレセプタクルを隙間無く満たすことを可能にする大きさである。これにより、チャネル６０内を流れる流体の正確な温度測定が可能になる。
【００４８】
図５を参照すると、レセプタクル８０は、閉鎖遠位端８４と、温度センサ９０を受容するための開放近位端８６とを備える、概して円筒状の本体８２を含む。レセプタクル壁と、特に遠位端８４の厚さは、そこを通る熱の伝導を容易に可能にするためには十分である。フランジ８８は、突出部４０の内面と係合するように、レセプタクルの開放近位端から放射状に延在する。レセプタクルは、突出部４０内に固定され、ベース部分チャネル６０内を流れる流体に接触するように、ベース部分３０内に部分的に延在する。具体的には、レセプタクル８０は、温度センサ９０が、チャネルを通る流体流動を妨げることなく、正確な温度測定を提供することを可能にするために十分な距離だけ、チャネル６０の中に延在する。一例として、レセプタクルは、最大でチャネルの中におよそ半分まで延在してもよく、好ましくは、最大でチャネルの中におよそ４分の１まで延在してもよい。温度センサ９０は、上述の温度センサと実質的に類似しており、摩擦嵌合、係止もしくは固定機構、または任意の他の固定技術を介して、レセプタクル８０内に固定され得る。レセプタクル８０は、突出部４０とベース部分チャネル６０との間に流体密を提供するために十分な寸法を含み、それによってチャネル内に流体を維持する。センサ配線９５は、上述のように、測定された流体温度の表示のためにモニタ装置１００へ、または（例えば、熱処理装置の）制御および流体温度の表示のために制御装置１２５へ、温度センサ９０を接続してもよい。
【００４９】
レセプタクル８０を有する温度感知装置１０の動作について、図４−５を参照して記述する。まず、温度感知装置１０の動作は、図１について上述した温度感知装置の動作に類似する。具体的には、温度感知装置１０が、ベース部分開口端５０Ａ、５０Ｂを、静脈ラインの操作者が選択した部分に固定することにより、静脈ライン７０に取付けられる。センサ配線９５は、上述の通り、温度表示のためにモニタ装置１００に、または温度制御および表示のために制御装置１２５に接続される。継手２０を静脈ライン７０に流体密の関係で固定すると、静脈流体が、静脈ラインおよび継手を通って流れることが可能になる。レセプタクル８０の遠位端８４は、チャネル６０内を流れる流体に接触する。温度センサ９０は、温度センサの遠位端がレセプタクルの閉鎖端に接触した状態で、レセプタクルの中に挿入される。流体が熱をレセプタクル８０に伝導し、レセプタクルを実質的に流体温度に到達させる。温度センサ９０は、レセプタクル８０の温度を直接測定し、それによって流体の温度を間接的に測定する。温度センサは、上述のように、流体温度の表示のためにモニタ装置１００へ、または流体温度の制御および表示のために制御装置１２５へ、センサ配線９５を介して測定された温度情報を伝達する。制御装置プロセッサは、上述のように、レポートを生成および提供してもよい。
【００５０】
注入、温度測定、または医療手順の完了後、温度センサ９０は、さらなる使用のためにレセプタクル８０から除去され、一方、継手（または継手を含む静脈ラインセット）は廃棄される。温度センサは、静脈ライン内を流れる流体に直接接触しないため、システムは、滅菌の必要がなく、温度センサのさらなる静脈ラインとの反復使用を容易にする。
【００５１】
温度感知装置１０（図４）は、温度センサ９０を継手２０に解除可能に係合し、温度センサをレセプタクル８０内に適切に配置するために、固定機構をさらに含んでもよい。例えば、突出部４０および温度センサ９０は、実質的に上述と同じ様式の、温度センサを継手に固定するための嵌合ねじを含んでもよい。代替として、固定機構は、図６−７に示すように、温度センサが無菌性を維持するように、一回使用を可能にしてもよい。具体的には、温度センサ９０は、固定部材またはキャップ６００を介して継手２０に固定され得る。キャップは、概して円筒状の本体６０１を含むが、厚さが次第に減少する端を有するＳ型本体、または把持の強化を容易にする他の構成を含んでもよい。キャップ６００は、任意の好適な材料（例えば、プラスチック）から構成されてもよい。
【００５２】
キャップ６００は、キャップ内部に画定され、キャップ近位部分からキャップ遠位表面へ延在するチャネル６１０を含む。チャネル６１０は、継手突出部４０を受容および保持する寸法である。温度センサ９０は、キャップチャネル内に配置され、キャップ遠位表面を超えて延在する。チャネル６１０は、継手突出部４０を受容および保持する寸法であるが、一方、温度センサ９０は、以下に記述するように、温度センサのレセプタクル内への挿入を可能にするように、レセプタクル８０のものよりわずかに短い横方向の断面寸法を含む。キャップ近位表面は、センサ配線９５を案内し、キャップ６００に構造的支持を提供するように、その上に配置される支持構造物６２０を含む。センサ配線は、温度センサ９０に接続され、キャップ近位表面および支持構造物６２０を通って、上述のようにモニタ装置１００または制御装置１２５まで延在する。
【００５３】
突出部４０は、突出部の近位端に向かって配置され、約１８０度の角度で離間するタブ５４５をさらに含んでもよい。キャップチャネル６１０は、突出部４０のものよりもわずかに大きいが、タブ５４５を含む突出部部分のものよりも小さい横方向の断面寸法を含む。突出部タブ部分を収容するために、チャネル６１０は、その中に画定され、約１８０度の角度で離間する溝６３０（図７）を含む。溝６３０は、キャップ遠位表面からキャップチャネル近位端に向かって延在し、タブ５４５を収容するために好適な寸法を含む。凹部または切り欠き６４０は、それぞれの溝の近位端に画定され、対応するタブ５４５を受容および保持する寸法である。タブ５４５の横方向の断面寸法は、溝６３０を備えるチャネルのものよりもわずかに大きいが、凹部６４０を備えるチャネルの寸法よりも小さい。溝６３０は、基本的に、これらの部分をぴったりと受容し、タブを凹部６４０の方へ案内するための突出部の弾力性によってタブ５４５を圧縮する。突出部の弾力性が、凹部６４０に到達すると突出部を膨張させ、それにより、タブ５４５に、これらの凹部との係止係合を強制する。タブ５４５の対応する凹部６４０への係止により、温度センサ９０が、レセプタクル８０の中に適切に着座し、レセプタクルと接触することを保証する。加えて、溝６３０は、溝を通って凹部の中にタブ５４５を案内することを補助するように、対応する凹部６４０に向かって深さが減少してもよい。
【００５４】
タブ５４５は、破砕され、継手２０から除去されるように、それぞれ構成される。これは、温度測定のために継手が再使用されるのを防止し、それにより、流体の無菌性を維持する。タブが凹部６４０内に配置されると、タブは、突出部４０に対してキャップ６００を回転させることにより、継手から除去されてもよい。凹部がタブの動きを阻止し、それにより、キャップに付与された回転力が、タブを破砕して継手から除去することを可能にする。凹部６４０は、キャップ６００の最初の自由な回転運動を可能にし、タブを破砕するキャップへの回転力の付与を強化するために、さらにキャップ内側表面に直角に伸長されてもよい。
【００５５】
固定機構を伴う温度感知装置１０（図４）の動作について、図６−７を参照して記述する。まず、温度感知装置１０が、上述と実質的に同じ様式で、静脈ライン７０の操作者が選択した部分に接続される。基本的に、第１および第２の開口端５０Ａ、５０Ｂが、静脈ライン７０のそれぞれの部分に取付けられる。継手２０を静脈ライン７０に固定すると、流体が、静脈ラインおよび継手を通って流れることが可能になる。レセプタクル８０の遠位端は、継手チャネル６０を通って流れる流体に接触する。温度センサ９０は、温度センサの遠位端を、レセプタクルの閉鎖端に接触させた状態で、レセプタクルの中に挿入される。固定キャップ６００は、突出部４０内に配置される温度センサ９０を備える突出部４０、およびタブ５４５と整列した溝６３０の上に置かれる。キャップ６００は、突出部上に遠位に付勢され、溝６３０を通ってタブ５４５を近位に移動させ、凹部６４０内に固定させる一方、温度センサ９０は、レセプタクル８０内に挿入される。タブ５４５を凹部内に固定すると、キャップ６００は、温度センサ９０をレセプタクル８０の内面と接触している温度センサと継手２０上で効果的に係止される。
【００５６】
継手チャネル６０内を流れる流体は、熱をレセプタクル８０に伝導し、レセプタクルを実質的に流体温度に到達させる。温度センサ９０は、レセプタクルの温度を直接測定し、それにより、流体の温度を間接的に測定する。温度センサは、上述のように、流体温度の表示のためにモニタ装置へ、または（例えば、熱処理装置の）制御および流体温度の表示のために制御装置１２５へ、センサ配線９５を介して測定された温度情報を伝達してもよい。制御装置プロセッサは、上述のように、温度制御装置および／またはプロセッサ入力装置から受信した情報を含むレポートを提供してもよい。
【００５７】
注入、温度測定、または医療手順が完了されると、キャップ６００と継手２０との間の係止機構は、突出部４０に対してキャップを回転させることによって解除されてもよい。これは、タブ５４５を破砕させて、突出部から除去させ、それにより、キャップおよび温度センサ９０を継手２０から解除する。キャップ６００が除去されると、継手２０および／または静脈ラインセットは廃棄される。したがって、固定機構を備える温度感知装置は、流体と直接接触しない温度測定を容易にし、温度センサと継手との間の一時的な係止配列を用い、それによって、滅菌を必要とせずに、さらなる継手との温度センサおよび固定キャップの再使用が可能になる。さらに、継手は、殺菌した流体の汚染を防止するために、温度測定については、使い捨てに限定される。加えて、タブは、操作者に継手の使用を知らせる。基本的に、固定キャップが使用後に突出部タブを除去するため、継手上にこれらのタブが無いことは、継手が既に使用され、別の用途に使用されると、無菌状態を損ない得ることを示す。
【００５８】
温度測定の向上のために、温度センサ９０のより大きな表面積を静脈流体に曝露するように、温度感知装置は、代替として、図８Ａ−８Ｂに示されるループ構成を含んでもよい。まず、温度感知装置１５は、図１に対して上述した温度感知装置１０に類似し、開口端５０Ａ、５０Ｂを備えるベース部分３５と、流体が継手を通って流れることを可能にするためにベース部分内に画定される流体チャネル６０とを含む、継手２０を含む。開口端５０Ａ、５０Ｂは、ルアーロックまたは他のコネクタ７５を介して、静脈ライン７０の選択された部分に解除可能に固定されてもよく、または上述と実質的に同じ様式の使い捨て静脈ラインセットを形成するように、（例えば、継手の端を静脈ラインの部分に溶接することにより）静脈ラインに恒久的に固定されてもよい。
【００５９】
継手２０は、上述の温度感知装置１０（図１）の継手２０と実質的に類似し、ループ構成を備えるベース部分３５を含む。特に、ベース部分３５は、継手内を流れる流体のためのループ経路を画定するように、開口端５０Ａと５０Ｂとの間に実質的に螺旋状のループ９７を形成する。ループ９７は、筐体部分の側壁内に画定される実質的に中心にある横方向開口部９１を備える、実質的に円筒状の筐体部分９９内に格納される。該ループは、同様に、実質的に中心にある横方向の開口部９３を含み、開口部９１、９３は、そこを通って温度センサ９０を受容するように整列および定寸される。言い換えると、ループ９７は、筐体部分９９内で温度センサを包み込むように構成される。温度センサは、実質的に上述の温度センサに類似する。代替として、筐体部分９９は、中空内部を含んで、（例えば、予め構成されたベース部分なしで）流体が筐体部分内で温度センサを取り囲むことを可能にしてもよく、または筐体部分は、筐体部分内で温度センサの周囲にループ状の流体流路を画定する、一連の仕切り１０１（図８Ｂ）を含んでもよい。しかしながら、温度センサを流体で取り囲むために任意の好適なループまたは他の構成が用いられてもよい。
【００６０】
温度センサ９０は、ベース部分と一体化し、温度センサ外部表面は、ループ９７の内面の一部分としての役割を果たし、それにより、温度センサが継手内を流れる流体に直接接触することが可能になる。例えば、温度センサ９０は、継手２０の中に直接成形され、温度センサを包み込むループの部分にとっての内面としての役割を果たしてもよい。本ループ構成は、流体流動を制限することなく、継手２０を通って流れる流体に接触するための温度センサの表面積の増大を提供し、それにより、温度測定の精度の向上を提供する。温度感知装置１５は、流体に接触する温度センサの表面積を増大し、得られる温度測定の精度を向上するように、任意の数量（例えば、１つ以上）のループ９７を含んでもよい。センサ配線９５は、上述と実質的に同じ様式で、測定された温度の表示のためにモニタ装置１００へ、または流体温度の表示および（例えば、熱処理装置の）制御のために制御装置１２５へ、測定された温度情報を伝達してもよい。
【００６１】
温度感知装置１５は、代替として、図８Ｃに示すように、レセプタクル８０を用いてもよい。具体的には、温度感知装置１５は、図８Ａについて上述した温度感知装置と実質的に類似していてもよく、筐体部分およびループの横方向開口部、それぞれ９１、９３に配置される、レセプタクル８０を含む。レセプタクルは、上述のレセプタクルと実質的に類似しており、流体の温度を測定するように、温度センサ９０を受容する。温度センサは、上述の温度センサと実質的に類似している。この場合、開口部９１、９３は、そこを通ってレセプタクル８０を受容するように整列および定寸される。言い換えると、ループ９７は、レセプタクルを包み込むように構成される。レセプタクル８０は、ベース部分と一体化し、レセプタクル外部表面は、ループ９７の内面の一部分としての役割を果たし、それにより、レセプタクルが継手内を流れる流体に直接接触することが可能になる。例えば、レセプタクルは、継手２０の中に直接成形され、レセプタクルを包み込むループの部分にとっての内面としての役割を果たしてもよい。本ループ構成は、流体流動を制限することなく、継手２０を通って流れる流体に接触するためのレセプタクルの表面積の増大を提供し、それにより、温度センサ９０による温度測定の精度の向上を提供する。温度感知装置１５は、流体に接触するレセプタクル表面積を増大させ、得られる温度測定の精度を向上するように、任意の数（例えば、１つ以上）のループ９７を含んでもよく、上述のように（例えば、図８Ｂ等）、任意のループ状または他の構成をさらに含んでもよい。
【００６２】
温度センサ９０は、レセプタクル８０内に挿入され、好ましくは、レセプタクルと直接接触する。温度センサは、上述と実質的に同じ様式で（例えば、摩擦嵌合等）、適切な位置に固定されてもよい。さらに、温度感知装置１５は、上述の突出部４０と実質的に類似し、レセプタクル内に温度センサを固定するように開口部９３から延在する、突出部を含んでもよい。突出部は、図６−７について上述した、ねじ配列または固定配列を含んでもよい。継手チャネル６０内を流れる流体は、熱をレセプタクル８０に伝導し、レセプタクルを実質的に流体温度に到達させる。温度センサ９０は、レセプタクルの温度を直接測定し、それによって流体の温度を間接的に測定する。温度センサは、上述のように、流体温度の表示のためにモニタ装置へ、または（例えば、熱処理装置の）制御および流体温度の表示のために制御装置１２５へ、センサ配線９５を介して測定された温度情報を伝達してもよい。
【００６３】
温度感知装置１５の動作について、図８Ａ−８Ｃを参照して記述する。まず、温度感知装置１５が、上述と実質的に同じ様式で、静脈ライン７０の操作者が選択した部分に接続される。基本的に、第１および第２の開口端５０Ａ、５０Ｂが、静脈ライン７０のそれぞれの部分に取付けられる。継手２０を静脈ライン７０に固定すると、流体が、静脈ラインおよび継手を通って流れることが可能になる。温度センサ（図８Ａ−８Ｂ）は、上述のように継手のループ経路を通って流れる流体に接触し、流体温度を測定する。
【００６４】
代替として、温度センサ９０が、温度センサの遠位端をレセプタクルの閉鎖端に接触させながらレセプタクル８０（図８Ｃ）の中に挿入される。レセプタクルは、上述のように、継手チャネル６０のループ９７を通って流れる流体に接触する。継手チャネル６０内を流れる流体は、熱をレセプタクル８０に伝導し、レセプタクルを実質的に流体温度に到達させる。温度センサ９０は、レセプタクルの温度を直接測定し、それによって流体の温度を間接的に測定する。
【００６５】
温度センサは、上述のように、流体温度の表示のためにモニタ装置へ、または流体温度の制御および表示のために制御装置１２５へ、センサ配線９５を介して測定された温度情報を伝達してもよい。制御装置プロセッサは、上述のように、温度制御装置および／またはプロセッサ入力装置から受信した情報を含むレポートを提供してもよい。
【００６６】
一旦、注入、温度測定、または医療手順が完了すると、センサ配線９５は、モニタ装置または制御装置から解放されてもよく、一方、継手（または継手を含む静脈ラインセット）は廃棄される。レセプタクル８０が用いられる場合、温度センサがさらなる使用のためにレセプタクルから除去され、一方、継手（または継手を含む静脈ラインセット）は廃棄される。
【００６７】
温度感知装置１０は、図９Ａ−９Ｂに示すように、継手２０を通る流体の流動を選択的に制御するように動作可能な弁をさらに含んでもよい。これにより、医療関係者は、流体流動を中断し、患者へ投与する前に、静脈ライン内の流体の温度を確認することが可能になる。流体温度が確認されると、弁が開かれ、流体を患者に流すことが可能になる。弁は、流体流動が可能にされた後の流動の中断を防止するために、ロックをさらに含んでもよい。特に、温度感知装置１０は、図４について上述した温度感知装置と実質的に類似しており、ベース部分３０と、ベース部分の中間区間から横方向に延在する突出部４０とを含む、継手２０を含む。継手２０は、突出部４０から下流の位置において、ベース部分３０の中間区間から横方向に延在する流れ制御装置または弁３００をさらに含む。ベース部分３０は、上述のように、開口端５０Ａ、５０Ｂと、そこを通って画定される長手方向のチャネルまたは流体導管６０とを備え、概して円筒状である。突出部４０は、上述のように、レセプタクルが、温度センサ９０による温度測定のために、ベース部分チャネル６０を通って流れる流体に接触することを可能にするために、レセプタクル８０を継手２０内に係合および固定する役割を果たす。温度センサは、上述の温度センサと実質的に類似している。センサ配線９５は、上述のように、測定された流体温度の表示のためにモニタ装置１００へ、または（例えば、熱処理装置の）制御および流体温度の表示のために制御装置１２５へ、温度センサ９０を接続してもよい。
【００６８】
ベース部分３０の開口端５０Ａ、５０Ｂは、再使用可能な静脈ラインセットを形成するように、静脈ライン７０の選択された部分に、ルアーロックまたは他のコネクタ７５を介して解除可能に固定されてもよく、あるいは使い捨て静脈ラインセットを形成するように、（例えば、継手の端を静脈ラインの部分に溶接することにより）静脈ライン７０に恒久的に固定されてもよい。
【００６９】
流れ制御装置３００は、継手２０を通る流体の流れを制御し、継手２０を通る流体の流れを選択的に許可または阻止するプランジャ式弁であってもよい。特に、流れ制御装置３００は、筐体３１０とピストン３２０とを含む。筐体は、突出部４０から下流の場所で、ベース部分３０の中間区間を通って横方向に配置される。筐体３１０は、筐体の開放近位端から筐体の閉鎖遠位端へと延在する、概して円筒状の通路３３０を含む。通路３３０は、その中にピストン３２０を摺動可能に受容するために十分な寸法を含む。開孔部３４０は、筐体中間部分の対向する区間内に画定され、ベース部分３０の長手方向のチャネル６０と整列する。開孔部３４０の寸法は、長手方向チャネル６０の寸法と実質的に類似し、該チャネルを通る流体の流動を可能にする（例えば、筐体３１０は、継手２０を通る流体の流動を妨げない）。筐体３１０は、任意の好適な様式で、継手２０に固定され得る。一例として、筐体３１０は、継手２０の中に成形されてもよい。
【００７０】
ピストン３２０は、遠位のコア部材３５０と近位の把持部材３６０とを含む。コネクタ要素または延長部材３６５は、把持部材３６０の遠位端上の実質的に中心の場所から、コア部材３５０の近位端上の実質的に中心の場所へ、軸方向に延在する。コネクタ要素３６５は、概して円筒状であり、コア部材３５０および把持部材３６０の両方のものよりもわずかに小さい直径を含む。把持部材は、流体流れを制御するために、ユーザが該部材を握ることを可能にするように構成される。把持部材３６０は、コネクタ要素３６５の近位端から近位に延在する。把持部材は、概して円筒状であり、筐体通路３３０のものよりも大きい直径を含み、筐体の遠位端が止め具を形成し、把持部材３６０を超えた筐体３１０の中へのコア部材３５０の軸方向の挿入を防止するのを可能にする。
【００７１】
コア部材３５０は、コネクタ要素３６５の遠位端から遠位に延在し、筐体３１０内で同軸上に位置付けられる。コア部材は、閉鎖遠位および近位端を含む、概して円筒状のロッドの形態である。コア部材３５０は、筐体３１０の内面と適合する形状であり、筐体３１０とコア部材３５０との間に摺動および流体密の係合を提供する直径を含む。加えて、コア部材３５０は、ベース部分３０の長手方向のチャネル６０に沿って流体密を形成するために十分な寸法を含んでもよい（例えば、コア部材は、その中に配置されると、流体が長手方向のチャネルに沿って流れるのを防止する）。コア部材３５０は、筐体３１０内に部分的にまたは完全に配置されてもよい。開口部３７０は、筐体開孔部３４０と選択的に整列するように、コア部材３５０の中間部分内に画定される。この整列により、流れ制御装置が開き（例えば、流体が継手２０を通って流れるのを可能にし）、コア部材を筐体３１０の中に挿入することにより達成されてもよい（図９Ｂ）。
【００７２】
流れ制御装置３００は、ピストン３２０を筐体３１０内の位置に固定し、流れ制御装置を開く（例えば、流体が継手２０を通って流れるのを可能にする）ための、係止機構をさらに含んでもよい。特に、リブまたは突起部３８０が、コア部材の遠位端の周辺に配置されてもよく、一方、リブ３８０に対応する凹部３８５が、筐体の閉鎖遠位端に近接して配置されてもよい。凹部３８５は、筐体の遠位端に向かって付勢されるコア部材に応じて、その中にリブ３８０を係合し、恒久的に固定するように構成される。本構成では、コア部材は開状態の流れ制御装置に係止され、流れ制御装置３００は、流れ制御装置が開かれると、流体流動の中断を阻止する単回使用弁として構成されてもよい。代替として、流れ制御装置３００は、選択的に開閉するように構成されてもよい。流れ制御装置を備える温度感知装置１０は、代替として、図１について上述したものと類似した様式で、（レセプタクル８０なしで）流体に直接接触する温度センサ９０で実装されてもよい。
【００７３】
ピストン式流れ制御装置または弁３００を含む温度感知装置１０の動作について、図９Ａ−９Ｂを参照して記述する。温度感知装置１０は、上述のように、ベース部分の開口端５０Ａ、Ｂを静脈ラインの操作者が選択した部分に固定することにより、静脈ライン７０に取付けられる。流れ制御装置３００は、筐体３１０内の近位に位置するコア部材３５０で、閉構成に設定され、コア部材３５０の開口部３７０は、筐体開孔部３４０と整列していない（図９Ａ）。継手２０を静脈ライン７０に固定すると、静脈流体が、静脈ラインおよび継手を通って流れることが可能になる。流れ制御装置３００は、上述のように、継手２０を通る流体の流動をさらに妨げ、一方、温度センサ９０が流体の温度を測定する。温度情報は、流体温度の表示のためにモニタ装置へ、または流体温度の制御および表示のために制御装置１２５へ伝達されてもよい。
【００７４】
流体が所望の温度に到達すると、流れ制御装置３００は、手動で開構成に設定される（図９Ｂ）。具体的には、コア部材の遠位端が筐体の閉鎖遠位端と係合するまで、筐体３１０内の遠位にコア部材３５０を軸方向に付勢または摺動するように、（例えば、図９Ｂで矢印Ｆが示すように）把持部材３６０に力が印加される。コア部材のリブ３８０が、筐体の凹部３８５に係合し、それにより、流れ制御装置を開位置に係止する。完全に挿入されると、コア部材開口部３７０および筐体開孔部３４０が実質的に整列し、流体が長手方向のチャネル６０および静脈ライン７０を通って患者の方へ自由に流れる。注入、静脈流体温度測定、または医療手順の完了後、温度センサ９０は、さらなる使用のためにレセプタクル８０から除去され、一方、継手（および／または継手を含む静脈ラインセット）は廃棄される。
【００７５】
温度感知装置１０の流れ制御装置３００は、図９Ｃに示すように、温度測定に基づいて、制御装置１２５によりさらに制御されてもよい。これにより、静脈ライン内の流体が、患者へ投与される前に所望の温度に達したことを保証する。特に、温度感知装置１０は、図９Ａ−９Ｂについて上述した温度感知装置と実質的に類似しており、ベース部分３０と、ベース部分の中間区間から横方向に延在する突出部４０とを含む、継手２０を含む。突出部４０は、上述のように、レセプタクルが、温度センサ９０による温度測定のために、ベース部分チャネル６０を通って流れる流体に接触することを可能にするように、レセプタクル８０を継手２０内に係合および固定する役割を果たす。温度センサは、上述の温度センサと実質的に類似している。センサ配線９５は、以下に記述するように、（例えば、熱処理装置、流れ制御装置等の）制御および流体温度の表示のために、温度センサ９０を制御装置１２５に接続する。
【００７６】
継手２０は、上述のように、突出部４０から下流の位置で、ベース部分３０の中間区間から横方向に延在する流れ制御装置または弁３００をさらに含む。流れ制御装置は、上述のように、筐体３１０と、遠位コア部材３５０を備えるピストン３２０とを含む。ソレノイドまたは作動装置３６７は、筐体３１０の近位端に取付けられ、制御装置１２５に連結される。ソレノイドは、温度感知装置と一体化されてもよく、あるいは、ソレノイドが、滅菌せずに、無菌性を損なうことなく、他の継手と共に再使用されることを可能にするように、（例えば、ねじ、摩擦嵌合または他の配列等を介して）筐体３１０に解除可能に固定されてもよい。ソレノイドは、任意の従来のまたは他の作動装置により実装されてもよい。コネクタ要素または延長部材３６５は、ソレノイドがコア部材を操作することを可能にするように、ソレノイド３６７の遠位端上の実質的に中心の場所から、コア部材３５０の近位端上の実質的に中心の場所まで、軸方向に延在する。
【００７７】
上述のように、制御装置１２５は、温度センサ９０から温度測定値を受信する。測定された温度が、流体の設定点温度の所望の範囲内にある時、制御装置１２５は、（例えば、温度制御装置１７０（図３）を介して）ソレノイド３６７を作動させ、コア部材３５０を筐体３１０内で遠位に押し進め、流れ制御装置を開き、流体流動を可能にする。特に、コア部材は、ソレノイドにより筐体内で（例えば、図９Ｃで矢印Ｆが示すように）遠位に付勢され、コア部材開口部３７０を筐体開口部３４０と整列させ、上述と実質的に同じ様式で、弁を開き、流体流動を可能にする。制御装置は、さらにソレノイドを作動させ、コア部材を筐体内で近位に付勢し、流れ制御装置を閉じ、流動を中断してもよい。これは、制御装置が、流体温度測定値が必要以上であるか、または設定点温度の所望の範囲を超えると判断した時に生じ得る。所望の範囲は、ユーザにより制御装置１２５に入力されてもよい。制御された流れ制御装置を備える温度感知装置１０は、代替として、図１について上述したものと類似した様式で、（レセプタクル８０なしで）流体に直接接触する温度センサ９０で実装されてもよい。
【００７８】
制御されたピストン式流れ制御装置または弁を含む温度感知装置１０の動作について、図９Ｃを参照して記述する。温度感知装置１０が、上述のように、ベース部分の開口端５０Ａ、５０Ｂを静脈ラインの操作者が選択した部分に固定することにより、静脈ライン７０に取付けられる。流れ制御装置３００は、制御装置１２５に連結され、典型的には、まず、筐体３１０内で近接して位置するコア部材３５０により閉構成にあり、コア部材３５０の開口部３７０は、筐体開孔部３４０と整列していない。継手２０を静脈ライン７０に固定すると、静脈流体が、静脈ラインおよび継手を通って流れることが可能になる。流れ制御装置３００は、上述のように、継手２０を通る流体の流動をさらに妨げ、一方、温度センサ９０が流体の温度を測定する。温度情報が、上述のように、流体温度の制御および表示のために、制御装置１２５に伝達される。
【００７９】
流体が所望の温度に達すると、制御装置１２５はソレノイド３６７を作動させ、流れ制御装置を開構成に設定する。具体的には、コア部材の遠位端が筐体の閉鎖遠位端と係合するまで、筐体３１０内の遠位にコア部材３５０を軸方向に付勢または摺動するように、ソレノイド３６７が（例えば、図９Ｃで矢印Ｆが示すように）力を印加する。完全に挿入されると、コア部材開口部３７０および筐体開孔部３４０が実質的に整列し、流体が長手方向のチャネル６０および静脈ライン７０を通って患者の方へ自由に流れる。制御装置１２５は、測定された流体温度が所望の温度範囲を超える際に、コア部材を筐体３１０内で近位に付勢し、流れ制御装置を閉じるように、さらにソレノイド３６７を作動させてもよい。注入、静脈流体温度測定、または医療手順の完了後、温度センサ９０および／またはソレノイド３６７は、さらなる使用のために継手から取外されてもよく、継手（または継手を含む静脈ラインセット）は廃棄されてもよい。
【００８０】
代替の流れ制御装置を備える温度感知装置１０の一実施形態を、図１０Ａ−１０Ｃに示す。温度感知装置１０は、図４について上述した温度感知装置と実質的に類似しており、装置の長手軸の周りを回転するように動作可能なねじり式または球型の弁装置を含む、流れ制御装置４００を含む。特に、温度感知装置１０は、ベース部分３０と、ベース部分の中間区間から横方向に延在する突出部４０とを含む、継手２０を含む。継手２０は、突出部４０から下流の位置で、ベース部分３０の中間区間から横方向に延在する、流れ制御装置または弁４００をさらに含む。ベース部分３０は、上述のように、開口端５０Ａ、５０Ｂと、そこを通って画定される長手方向のチャネルまたは流体導管６０とを備え、概して円筒状である。突出部４０は、上述のように、レセプタクルが、温度センサ９０による温度測定のために、ベース部分チャネル６０を通って流れる流体に接触することを可能にするように、レセプタクル８０を継手２０内に係合および固定する役割を果たす。温度センサは、上述の温度センサと実質的に類似している。センサ配線９５は、上述のように、測定された流体温度の表示のためにモニタ装置１００へ、または（例えば、熱処理装置の）制御および流体温度の表示のために制御装置１２５へ、温度センサ９０を接続してもよい。
【００８１】
ベース部分３０の開口端５０Ａ、５０Ｂは、再使用可能な静脈ラインセットを形成するように、静脈ライン７０の選択された部分に、ルアーロックまたは他のコネクタ７５を介して解除可能に固定されてもよく、あるいは使い捨て静脈ラインセットを形成するように、（例えば、継手の端を静脈ラインの部分に溶接することにより）静脈ライン７０に恒久的に固定されてもよい。
【００８２】
流れ制御装置４００は、継手２０を通る流体の流れを制御し、継手２０を通る流体の流れを選択的に許可または阻止する、ねじり式または球型の弁であってもよい。流れ制御装置は、筐体４１０と、回転可能な弁部材４２０とを含む。筐体は、突出部４０から下流の場所で、ベース部分３０の中間区間から横方向に延在する。筐体４１０は、継手内で弁部材４２０を流体密の関係で係合し固定する役割を果たす。筐体は、概して円筒状であり、ベース部分チャネル６０へのアクセスを容易にする開口端を含む。筐体４１０は、流体密の関係を提供するために好適な任意の様式を利用して、継手２０に固定されてもよく、および／または継手と一体化するように形成されてもよい。
【００８３】
弁部材４２０は、コア部材４３０と、近位キャップまたは把持部材４４０とを含む。コア部材は、実質的に球形の遠位部分４３５を備え、概して円筒状である。把持部材は、概して円筒状であり、筐体４１０のものよりも大きい直径を含む。把持部材４４０は、閉鎖近位および遠位端と、外側周壁とを含み、外側周壁は、該把持部材壁と筐体４１０との間に環状間隙４５０を形成するように遠位に延在する。本構成では、ユーザが弁部材４２０を回転させて、流れ制御装置４００を操作することができる。
【００８４】
コネクタ要素または延長部材４６０は、把持部材の遠位端上の実質的に中心の場所から、コア部材の近位端上の実質的に中心の場所まで、軸方向に延在する。コネクタ要素４６０は、概して円筒状であり、コア部材４３０および把持部材４４０の両方のものよりもわずかに小さい直径を含む。コア部材は、長手方向のチャネル６０に近接して配置される遠位部分４３５を備えるコネクタ要素の遠位端から遠位に延在する。コア部材４３０は、好ましくは、筐体４１０内の同軸上に位置付けられ、筐体の内面と適合する形状であってもよい。コア部材は、筐体内面とコア部材４３０との間に流体密を提供し、コア部材が筐体内で回転するのを可能にするように、動作可能である直径を含む。加えて、コア部材の遠位部分４３５の寸法は、典型的には、コア部材４３０がベース部分３０の中に挿入される際に、長手方向のチャネル６０に沿って流体密を形成するように、ベース部分３０の長手方向のチャネル６０の寸法より大きい。固定板または回り継手４３７が、コア部材の遠位部分４３５の遠位端に、好ましくは、ベース部分３０を通って取付けられている。該板は、円盤の形態の概して円形であり、コア部材を筐体４１０内の適切な位置に固定する。コア部材は、板４３７に回転可能に接続され、筐体に対して回転させ、以下に記述するように流れ制御装置を開閉する。
【００８５】
開口部４７０は、長手方向のチャネル６０との整列を可能にするように、コア部材４３０の遠位部分４３５内で横方向に画定される。コア部材４３０は、上述のように筐体４１０内で回転するように構成されるため、開口部４７０は、継手２０を通る流体の流れを操作するように、長手方向のチャネル６０と選択的に整列させてもよい。具体的には、コア部材４３０は、開口部４７０を長手方向のチャネル６０と整列させ、流れ制御装置を開き、流体が継手２０および静脈ライン７０を通って患者に流れるのを可能にするように、回転させてもよい。反対に、コア部材は、開口部４７０が長手方向のチャネル６０とずれるように回転され、流れ制御装置を閉じ、継手２０および静脈ライン７０を通る流体の流動を阻止してもよい。開口部４７０を整列／不整列させるために必要とされる角回転の角度は、好ましくは、９０度であるが、流体流れを制御する、任意の好適な角度の回転であり得る（例えば、全開流れ、部分流れ、および／または流れ無し、を提供する任意の角度）。
【００８６】
流れ制御装置４００は、チャネル６０と整列されるコア部材開口部４７０で、流れ制御装置を開位置に係止するように、固定機構をさらに含んでもよい（図１０Ｃ）。具体的には、筐体４１０の近位端の外部表面は、複数の段部または傾斜４４５を含む。筐体段部４４５は、それぞれ、筐体外部表面に沿って延在する長寸法縁と、筐体外部表面から環状間隙４５０の中に把持部材に向かって横方向に延在する短寸法縁と、これらの縁の間に延在する斜辺縁とを備える、概して直角の三角形である。段部は、筐体外部表面上で、約１８０度の角度で離間する。
【００８７】
把持部材の遠位端は、その中に画定される複数のチャネルまたは溝４４９を含む。チャネルは、把持部材の遠位端に沿って延在し、それぞれ幅が次第に減る端を含む。段部または傾斜４４７は、それぞれの溝内に、先細になった端に向かって配置され、それぞれの段部４４７は、段部４４５のものより小さい寸法を含む。把持部材の段部は、それぞれ、把持部材または溝の内表面に沿って延在する長寸法曲線縁と、把持部材または溝の内表面から筐体に向かって横方向に延在する短寸法縁と、これらの縁の間に延在する斜辺曲線縁とを備える、概して直角の三角形である。溝（および段部）は、把持部材表面上で約１８０度角度的に離間する。段部４４５、４４７の短寸法縁は、上述のように、これらの縁が溝４４９内で互いに隣接することを可能にするように配向され、またそのために十分な寸法を含む。
【００８８】
流れ制御装置が閉位置にある時、段部４４５は、概して対応する溝４４９内に配置され、筐体に対する把持部材の回転を可能にするために十分な距離分、段部４４７から隔てられる。しかしながら、上述のように、把持部材の流れ制御装置４００を開くための回転に応じて、段部４４５は、対応する溝４４９を把持部材の段部４４７に向かって横断する。段部４４５、４４７の斜辺縁は、段部４４５、４４７の短寸法縁を互いに隣接させて、段部４４５が対応する溝の先細になった端内に位置付けられることを可能にするように、互いに接触し、横断する。段部の隣接する縁は、止め具としての役割を果たし、第１の方向の把持部材の回転を阻止する。同様に、溝４４９の先細になった端は、筐体段部４４７に対する止め具としての役割を果たし、それにより、他の方向の把持部材の回転を阻止する。したがって、把持およびコア部材は、流れ制御装置を開状態に維持するように、適切な位置に効果的に係止される。流れ制御装置は、代替として、把持部材および／またはコア部材を解除可能にまたは恒久的に係止し、流れ制御装置を開位置に維持するように、任意の他の好適な係止機構を含んでもよい。流れ制御装置４００を備える温度感知装置１０は、代替として、図１について上述したものと類似した様式で、（レセプタクル８０なしで）流体に直接接触する温度センサ９０で実装されてもよい。
【００８９】
流れ制御装置４００を伴う温度感知装置１０の動作について、図１０Ａ−１０Ｃを参照して記述する。流れ制御装置４００を含む温度感知装置１０が、静脈ライン７０に、ベース部分の開口端５０Ａ、５０Ｂを、静脈ラインの操作者が選択した部分に固定することによって取付けられる。流れ制御装置４００は、まず、閉構成に設定され（図１０Ａ）、開口部４７０は、継手を通る流体流動を阻止するようにベース部分のチャネル６０と整列していない。継手２０を静脈ライン７０に流体密の関係で固定すると、静脈流体が静脈ラインを通って流れることが可能になるが、コア部材の閉位置のために、継手を出ることが許されない。温度センサ９０は、温度センサがレセプタクルの内面に接触するように、突出部４０を通ってレセプタクル８０の中に軸方向に挿入される。流体は、レセプタクル８０の外部表面に接触し、熱を伝導し、温度センサが流体温度を間接的に測定することが可能になる。温度センサ９０は、上述のように、流体温度の表示のためにモニタ装置１００へ、または流体温度の表示および制御のために制御装置１２５へ、センサ配線９５を介して測定された温度情報を伝達する。制御装置プロセッサは、上述のように、温度制御装置および／またはプロセッサ入力装置からの情報で、レポートを作成してもよい。
【００９０】
流体が所望の温度に到達すると、流れ制御装置４００は、開位置に設定される（図１０Ｂ）。具体的には、把持部材４４０は、コア部材４３０を（例えば、図１０Ｂで矢印Ｒが示すように）回転させて、開口部４７０をベース部分のチャネル６０と整列させるように、操作される。係止機構が用いられると（図１０Ｃ）、筐体段部４４５は、把持部材の回転に応じて対応する把持部材の溝４４９を横断する。段部４４５は、上述のように、把持部材の段部４４７を横断し、対応する溝の先細になった端と把持部材の段部との間の溝４４９の中に捕捉される。したがって、把持部材は、流れ制御装置を開状態に維持するように適切な位置に係止される。
【００９１】
流れ制御装置４００が開位置に設定されると、流体は、チャネル６０に沿って、かつ静脈ライン７０を通って患者に流れる。注入、静脈流体の温度測定、または医療手順の完了後、温度センサ９０は、さらなる使用のためにレセプタクル８０から除去され、一方、継手（または継手を含む静脈ラインセット）は廃棄される。
【００９２】
温度感知装置１０の流れ制御装置４００は、図１０Ｄに示すように、温度測定値に基づいて、制御装置１２５によってさらに制御されてもよい。これにより、静脈ライン内の流体が、患者へ投与される前に所望の温度に達したことを保証する。特に、温度感知装置１０は、図１０Ａ−１０Ｃについて上述した温度感知装置と実質的に類似しており、ベース部分３０と、ベース部分の中間区間から横方向に延在する突出部４０とを含む、継手２０を含む。突出部４０は、上述のように、レセプタクルが、温度センサ９０による温度測定のために、ベース部分のチャネル６０を通って流れる流体に接触することを可能にするように、レセプタクル８０を継手２０内に係合および固定する役割を果たす。温度センサは、上述の温度センサと実質的に類似している。センサ配線９５は、以下に記述するように、（例えば、熱処理装置、流れ制御装置等の）制御および流体温度の表示のために、温度センサ９０を制御装置１２５に接続する。
【００９３】
継手２０は、上述のように、突出部４０から下流の位置で、ベース部分３０の中間区間から横方向に延在する流れ制御装置または弁４００をさらに含む。流れ制御装置は、上述のように、筐体４１０と、コア部材４３０を備える弁部材４２０とを含む。ソレノイドまたは作動装置４４３は、筐体４１０の近位端に取付けられ、制御装置１２５に連結される。ソレノイドは、温度感知装置と一体化されてもよく、あるいは、ソレノイドが、殺菌せず、無菌性を損なうことなく、他の継手と共に再使用されることを可能にするように、（例えば、ねじ、摩擦嵌合または他の配列等を介して）筐体４１０に解除可能に固定されてもよい。ソレノイドは、任意の従来のまたは他の作動装置により実装されてもよい。コネクタ要素または延長部材４６０は、ソレノイドがコア部材を操作することを可能にするように、ソレノイド４４３の遠位端上の実質的に中心の場所から、コア部材４３０の近位端上の実質的に中心の場所まで、軸方向に延在する。
【００９４】
上述のように、制御装置１２５は、温度センサ９０から温度測定値を受信する。測定された温度が流体の設定点温度の所望の範囲内にある時、制御装置１２５は、（例えば、温度制御装置１７０を介して（図３））筐体４１０内でコア部材４３０を回転させ、流れ制御装置を開き、流体流動を可能にするように、ソレノイド４４３を作動させる。特に、コア部材は、上述と実質的に同じ様式で、コア部材の開口部４７０を流体チャネル６０と整列させ、弁を開き、流体流動を可能にするように、ソレノイドによって筐体内で（例えば、図１０Ｄで矢印Ｒが示すように）回転させられる。制御装置は、コア部材を（同一または反対方向に）さらに回転させ、流れ制御装置を閉じ、流動を中断させるために、さらにソレノイドを作動させてもよい。これは、制御装置が、流体温度の測定値が必要以上であるか、または設定点温度の所望の範囲を超えると判断した時に生じ得る。所望の範囲は、ユーザによって制御装置１２５に入力されてもよい。制御された流れ制御装置を備える温度感知装置１０は、代替として、図１について上述したものと類似した様式で、（レセプタクル８０なしで）流体に直接接触する温度センサ９０で実装されてもよい。
【００９５】
制御されたねじり式または球型の流れ制御装置または弁を含む、温度感知装置１０の動作について、図１０Ｄを参照して記述する。温度感知装置１０が、上述のように、ベース部分の開口端５０Ａ、５０Ｂを静脈ラインの操作者が選択した部分に固定することにより、静脈ライン７０に取付けられる。流れ制御装置４００は、制御装置１２５に連結され、典型的には、まず、コア部材４３０の開口部４７０がチャネル６０と整列することを阻止する配向のコア部材４３０によって、閉構成にある。継手２０を静脈ライン７０に固定すると、静脈流体が静脈ラインおよび継手を通って流れることが可能になる。流れ制御装置４００は、上述のように、継手２０を通る流体の流動をさらに妨げ、一方、温度センサ９０が流体の温度を測定する。温度情報が、流体温度の制御および表示のために、制御装置１２５に伝達される。
【００９６】
流体が所望の温度に達すると、制御装置１２５は、流れ制御装置を開構成に設定するように、ソレノイド４４３を作動させる。具体的には、コア部材の開口部４７０およびチャネル６０が実質的に整列するまで、ソレノイド４４３は、筐体４１０内で（例えば、図１０Ｄで矢印Ｒが示すように）コア部材４３０を回転させる。これにより、流体が長手方向のチャネル６０および静脈ライン７０を通って患者の方へ流れることが可能になる。制御装置１２５は、測定された流体温度が所望の温度範囲を超えた時、筐体４１０内で（同一または反対方向に）コア部材を回転させ、流れ制御装置を閉じるように、ソレノイド４４３をさらに作動させてもよい。注入、静脈流体の温度測定、または医療手順の完了後、温度センサ９０および／またはソレノイド４４３は、さらなる使用のために継手から除去され、一方、継手（または継手を含む静脈ラインセット）は廃棄される。
【００９７】
患者の注射部位に近接する流体温度を測定するための温度感知装置を、図１１に示す。本温度測定は、温度測定が、患者の流体進入部位に極めて近接して行われるため、精度の向上を提供する。言い換えると、流体の温度は、患者に進入する直前に測定される。具体的には、温度感知装置５１０は、継手５２０および針ハブ５５５を含む。継手５２０は、概して円筒状のベース部分５３０と、ベース部分の中間区間から横方向に延在する概して円筒状の突出部５４０とを含む。ベース部分５３０は、第１の開口端５５０Ａと、第２の開口端５５０Ｂと、流体の流動を可能にするように、そこを通って長手方向に画定される流体導管またはチャネル５６０とを含んでもよい。突出部５４０は、上述の突出部４０と実質的に類似しており、チャネル５６０へのアクセスを容易にする開口端を含む。
【００９８】
継手５２０は、好ましくは、注入中に針ハブ５５５からの逆流を防止するための、一方向弁の形態である。しかしながら、継手は、上述の温度感知装置のうちのいずれか、または任意の好適な従来のまたは他の流れ制御装置もしくは弁（例えば、一方向または二方向弁等）によって、実装されてもよい。ベース部分５３０の第１の開口端５５０Ａは、静脈ライン７０に解除可能に固定されてもよく、一方、第２の開口端５５０Ｂは、針ハブ５５５に解除可能に固定されてもよい。典型的には、ベース部分の開口端５５０Ａ、５５０Ｂのそれぞれは、ルアーロックまたは他の好適なコネクタ７５を介して、静脈ライン７０および／または針ハブ５５５に解除可能に固定されてもよい。継手５２０は、静脈ライン７０（または針ハブ）から除去されて、流体の無菌性を維持するために廃棄されてもよい。代替として、継手５２０は、使い捨て静脈ラインセットを形成するように、静脈ライン７０および針ハブ５５５に、（例えば、継手の端を静脈ラインおよび針ハブの部分に溶接することにより）恒久的に固定されてもよい。ベース部分５３０は、上述のように患者への流体流れを制御するように、突出部５４０と針ハブ５５５との間に配置される、上述のようなプランジャ式または球型の流れ制御装置３００、４００をさらに含んでもよい（図９Ａ−１０Ｄ）。
【００９９】
針ハブ５５５は、継手５２０から、針ハブの遠位端内に配置され、患者の中に挿入される針５６５へ、流体を誘導する。針は、静脈流体の注射に好適な、任意の従来のまたは他の針によって実装されてもよい。針ハブは、流体がシャフトを通って流れることを可能にするように、その中に導管またはチャネル５５７を画定するシャフト５５６を含む。シャフト導管５５７は、針ハブの開放近位端からハブの開放遠位端まで延在し、針５６５および継手５２０のチャネル５６０と流体連通している。シャフト５５６は、概して円錐形であるが、任意の好適な形状であってもよい。針ハブの近位端は、ルアーロックまたは他の好適なコネクタ７５を介して継手５２０に固定される。１対の翼型制御部材５５８は、ユーザが装置５１０を把持し、患者の中に針を挿入することを補助するために、シャフト５５６の中間区間から横方向に延在してもよい。
【０１００】
熱伝導性レセプタクル８０は、突出部５４０内に固定され、ベース部分のチャネル５６０内を流れる流体に接触するように、部分的にベース部分５３０の中に延在する。レセプタクル８０は、図５について上述したレセプタクルと実質的に類似しており、以下に記述するように、ベース部分５３０の中に部分的に延在する閉鎖遠位端８４と、温度センサ９０を受容するための開放近位端８６とを備える、概して円筒状の本体８２を含む。フランジ８８は、突出部５４０の内面に係合するように、レセプタクルの開放近位端から放射状に延在する。レセプタクル８０は、上述と実質的に同じ様式で、突出部５４０とベース部分のチャネル５６０との間に流体密を提供し、流体をチャネル内に維持するために十分な寸法を含む。継手５２０は、静脈ラインとの使用に好適なプラスチックまたは任意の他の剛性材料から構成されてもよい。継手５２０は、典型的にはＴ型構成を含むが、任意の構成（例えば、Ｙ型継手、十字型継手、連結器等）が利用され得る。加えて、温度感知装置５１０は、温度センサ９０を継手５２０に固定し、温度センサをレセプタクル８０内に適切に配置するために、上述の固定機構のうちのいずれか（例えば、図６−７、ねじ係合、摩擦嵌合等）をさらに含んでもよい。温度感知装置５１０は、代替として、図１について上述したものと類似の様式で、（レセプタクル８０なしで）流体に直接接触する温度センサ９０によって実装されてもよい。温度センサは、実質的に上述の温度センサに類似する。センサ配線９５は、上述のように、測定された流体温度の表示のためにモニタ装置１００へ、または（例えば、熱処理装置の）制御および流体温度の表示のために制御装置１２５へ、温度センサ９０を接続してもよい。
【０１０１】
温度感知装置５１０の動作について、図１１を参照して記述する。まず、ベース部分の第１の開口端５５０Ａが、静脈ライン７０に取付けられ、第２の開口端５５０Ｂが、針ハブに固定される。静脈ライン７０および針ハブ５５５の両方に、継手５２０を流体密の関係で固定すると、静脈流体が、静脈ラインおよび継手を通って流れることが可能になる。レセプタクル８０の遠位端は、継手５２０を通って流れる流体に接触する。温度センサ９０は、温度センサの遠位端をレセプタクルの閉鎖端に接触させた状態で、レセプタクルの中に挿入される。
【０１０２】
流体が熱をレセプタクル８０に伝導し、レセプタクルを実質的に流体温度に到達させる。温度センサ９０は、レセプタクルの温度を直接測定し、それにより、流体の温度を間接的に測定する。温度センサは、上述のように、流体温度の表示のためにモニタ装置１００へ、または流体温度の表示および制御のために制御装置１２５へ、センサ配線９５を介して測定された温度情報を伝達する。上述のように、制御装置プロセッサ（図３）が、温度制御装置および／またはプロセッサ入力装置から受信された情報からレポートを作成してもよい。注入、静脈流体温度測定、または医療手順の完了後、温度センサ９０は、さらなる使用のために継手５２０から除去され、一方、継手（または継手を含む静脈ラインセット）は廃棄される。
【０１０３】
針ハブ内の流体の温度測定を可能にする温度感知装置を、図１２に示す。具体的には、温度感知装置７１０は、継手７２０および針ハブ５５５を含む。継手７２０は、開口端７５０Ａ、７５０Ｂを備える概して円筒状のベース部分７３０と、流体流動を可能にするように、そこを通って長手方向に画定されるチャネル７６０とを含む。ベース部分７３０の開口端７５０Ａは、ルアーロックまたは他の好適なコネクタ７５を介して、弁７１５に解除可能に固定されてもよい。弁は、好ましくは、注入中の針ハブからの逆流を防止するように、従来の一方向弁により実装される。しかしながら、弁は、任意の好適な流れ制御機構（例えば、一方向または二方向弁等）により実装されてもよい。弁は、ルアーロックまたは他の好適なコネクタ７５を介して、さらに静脈ライン７０に連結される。
【０１０４】
継手７２０は、ベース部分の中間区間から横方向に延在する、概して円筒状の突出部７４０をさらに含む。突出部７４０は、上述の突出部４０と実質的に類似しており、ベース部分内で流体チャネル７６０へのアクセスを容易にする開口端を含む。熱伝導性レセプタクル８０は、突出部７４０内に固定され、ベース部分のチャネル７６０内を流れる流体に接触するように、部分的にベース部分７３０内に延在する。レセプタクル８０は、図５について上述したレセプタクルと実質的に類似しており、以下に記述するように、ベース部分７３０内に部分的に延在する閉鎖遠位端８４と、温度センサ９０を受容するための開放近位端８６とを備える、概して円筒状の本体８２を含む。フランジ８８は、突出部７４０の内面に係合するように、レセプタクルの開放近位端から放射状に延在する。レセプタクル８０は、上述と実質的に同じ様式で、突出部７４０とベース部分のチャネル７６０との間に流体密を提供し、流体をチャネル内に維持するために十分な寸法を含む。継手７２０は、静脈ラインとの使用に好適なプラスチックまたは任意の他の剛性材料から構成されてもよい。継手７２０は、典型的にはＴ型構成を含むが、任意の構成（例えば、Ｙ型継手、十字型継手、連結器等）が利用され得る。温度センサは、上述の温度センサと実質的に類似している。センサ配線９５は、上述のように、測定された流体温度の表示のためにモニタ装置１００へ、または（例えば、熱処理装置の）制御および流体温度の表示のために制御装置１２５へ、温度センサ９０を接続してもよい。
【０１０５】
ベース部分７３０は、上述のように患者への流体流れを制御するように、突出部７４０と針ハブ５５５との間に位置付けられる、上述のようなプランジャ式または球型流れ制御装置３００、４００をさらに含んでもよい（図９Ａ−１０Ｄ）。加えて、温度感知装置７１０は、温度センサ９０を継手５２０に固定し、温度センサをレセプタクル８０内に適切に位置付けるように、上述の固定機構のうちのいずれか（例えば、図６−７、ねじ係合、摩擦嵌合等）をさらに含んでもよい。温度感知装置７１０は、代替として、図１について上述したものと類似した様式で、（レセプタクル８０なしで）流体に直接接触する温度センサ９０で実装されてもよい。
【０１０６】
針ハブ５５５は、上述の針ハブと実質的に類似しており、ベース部分７３０の遠位端７５０Ｂに直接固定される。継手７２０は、針ハブおよび弁から除去され、流体の無菌性を維持するように廃棄される。代替として、継手７２０、針ハブ５５５、弁７１５、および／または静脈ライン７０は、使い捨て静脈ラインセットを形成するように、任意の好適な組み合わせで、（例えば、溶接等により）互いに恒久的に固定されてもよい。針ハブ５５５は、弁７１５から、針ハブの遠位端内に配置され、患者の中に挿入される針５６５へ、流体を誘導する。針は、静脈流体の注射に好適な、任意の従来のまたは他の針により実装されてもよい。針ハブは、流体がシャフトを通って流れることを可能にするように、その中に導管またはチャネル５５７を画定するシャフト５５６を含む。シャフト導管５５７は、針ハブの開放近位端からハブの開放遠位端まで延在し、針５６５および継手７２０のチャネル７６０と流体連通している。針ハブの近位端は、継手７２０に直接固定される（例えば、摩擦嵌合等）。翼型制御部材５５８は、ユーザが装置７１０を把持し、患者の中に針を挿入するのを補助するように、シャフト５５６の中間区間から横方向に延在してもよい。
【０１０７】
温度感知装置７１０の動作について、図１２を参照して記述する。ベース部分７３０の開口端７５０Ａが、静脈ライン７０に取付けられ、第２の開口端７５０Ｂが、針ハブ５５５に固定される。継手７２０を流体密の関係で固定すると、静脈流体が、静脈ライン、継手、および針ハブを通って患者に向かって流れることが可能になる。レセプタクル８０の遠位端は、継手７２０を通って流れる流体に接触する。温度センサ９０は、温度センサの遠位端を、レセプタクルの閉鎖端に接触させた状態で、レセプタクルの中に挿入される。
【０１０８】
流体が熱をレセプタクル８０に伝導し、レセプタクルを実質的に流体温度に到達させる。温度センサ９０は、レセプタクルの温度を直接測定し、それにより、流体の温度を間接的に測定する。温度センサは、上述のように、流体温度の表示のためにモニタ装置１００へ、または流体温度の表示および制御のために制御装置１２５へ、センサ配線９５を介して測定された温度情報を伝達する。上述のように、制御装置プロセッサ（図３）が、温度制御装置および／またはプロセッサ入力装置から受信された情報からレポートを作成してもよい。注入、静脈流体の温度測定、または医療手順の完了後、温度センサ９０は、さらなる使用のために継手７２０から除去され、一方、継手（または継手を含む静脈ラインセット）は廃棄される。
【０１０９】
上述および図面中に示される実施形態は、注入液の温度を測定および制御するための方法および装置を実施するための、多くの方法のうちのほんのわずかに過ぎないことが理解されるであろう。
【０１１０】
上述の温度感知装置の温度センサまたはプローブは、任意の数量の、任意の種類の、従来または他の温度測定装置（例えば、ＲＴＤ、ＩＲ、ＮＴＣ、サーミスタ、サーモカップル等）により実践されてもよい。センサは、特定用途に適合する任意の形状またはサイズのものであり得る。上述のモニタ装置および制御装置は、流体温度を判定、表示、および／または制御する、任意の数量の、任意の従来のまたは他の処理装置または回路網により実装されてもよい。モニタ装置および制御装置は、測定された温度を指示し、任意の種類の温度または他の状態の発生を知らせるように、様々な指示部（例えば、視覚的、聴覚的、音声、統合等）を含んでもよい。温度センサおよび流れ制御装置は、任意の通信媒体（例えば、有線、無線、ＩＲ等）を介して、モニタ装置および／または制御装置と通信させてもよい。
【０１１１】
モニタ装置および制御装置は、任意の好適な場所に配置される、任意のサイズまたは形状の、任意の数量の、任意の種類の、従来のまたは他の表示部（例えば、ＬＣＤ、ＬＥＤ等）を含んでもよい。モニタ装置および制御装置は、任意の所望の情報（例えば、時間、温度、日付、患者情報等）を表示してもよく、操作者の視界内の、任意の場所（例えば、温度感知装置の近傍または装置から離れた所）に配置されてもよい。モニタ装置および制御装置は、任意の種類の入力装置（例えば、キーパッド、ボタン、言語認識、タッチスクリーン等）を用いてもよく、任意の所望の情報を任意の所望の方法で処理、印刷、および／または記録するように、任意の種類の処理、印刷、および／または記録装置をさらに含んでもよい。
【０１１２】
上述の温度感知装置の継手は、任意の数量、形状、またはサイズであり得、任意の好適な材料から構成され得、静脈または他の医療用ラインに沿った任意の好適な場所に配置され得る。継手ベースおよび突出部は、任意の数量、形状、またはサイズであり得、任意の好適な材料から構成され得る。ベースチャネルは、任意の形状またはサイズであり得、ベース中の任意の場所に画定され得、任意の所望の方向に延在してもよい。チャネルは、好ましくは、均一な寸法を含むが、チャネルは、均一な、または変動する寸法（例えば、均一な、次第に増大／減少する寸法、段差、または段部等）を含んでもよい。流体ラインは、任意の従来のまたは他のロックまたはコネクタを介して、継手に固定されてもよい。ベースおよび突出部は、任意の方法で配列または接続され得、一方、継手は、任意の好適な構成（例えば、Ｔ型継手、Ｙ型継手、十字型継手、連結器等）を有し得る。継手は、使い捨て静脈ラインセット内に含まれて、そこに恒久的にまたは解除可能に接続されてもよい。温度センサは、任意の従来のまたは他の固定機構（例えば、摩擦嵌合、接着剤、クランプ、ねじ係合等）を介して、任意の様式で継手突出部内に配置され得る。継手は、流体の無菌性を維持し、温度センサの再使用を可能にするよためにレセプタクルを含んでもよい。
【０１１３】
伝導性レセプタクルは、任意の数量、形状、またはサイズであり得、任意の好適に熱を伝導する材料から構成され得、継手内を流れる流体に接触するか、あるいは熱伝導するために好適な、突出部または継手内の任意の場所に配置され得る。伝導性レセプタクル本体およびフランジは、任意の数量、形状、またはサイズであり得、任意の好適な材料から構成され得る。温度センサは、任意の従来のまたは他の固定技術（例えば、摩擦嵌合、ねじ係合、固定機構等）を介して、レセプタクル内に固定され得る。同様に、レセプタクルは、任意の従来のまたは他の固定技術（例えば、摩擦嵌合、接着剤、ねじ係合、固定機構等）を介して、突出部または継手内に固定され得る。
【０１１４】
制御回路構成要素（例えば、電力供給装置、電源スイッチ、サーモスタット、温度制御装置、マイクロプロセッサ、通信モジュール等）は、任意の好適な方法で配列され、本明細書に記載される機能を実行する、任意の従来のまたは他の構成要素により実装され得る。電力供給装置は、任意の数量の、任意の従来のまたは他の電力供給装置により実装され得、ＡＣおよび／またはＤＣ電力信号を受信し、また任意の適切な電力レベルのＡＣおよび／またはＤＣ電力信号を制御回路構成要素に提供し得る。電源スイッチは、任意の数量の、任意の従来のまたは他の好適な切替え装置（例えば、ボタン、スイッチ等）によって実装され得る。サーモスタットは、任意の数量であり得、任意の従来のまたは他の切替え式または制限装置（例えば、高制限サーモスタット等）によって実装されてもよい。指示部は、操作者に測定された温度を通知するために、任意の数量の、任意の従来のまたは他の視覚的および／または聴覚的指示部（例えば、ポケットベルもしくはブザー、スピーカ、様々な色の発光ダイオード（例えば、緑色ダイオード、黄色ダイオード、および赤色ダイオード）等）によって実装されてもよい。
【０１１５】
温度制御装置は、任意の数量の、任意の従来のまたは他の温度制御装置またはプロセッサ（例えば、チップ、カード、プロセッサ、回路網等）によって実装され得、任意の数量の、任意の所望の入力装置（例えば、ボタン、キーパッド等）を含む。温度制御装置は、熱処理装置を任意の所望の温度範囲に制御することができ、任意の数量の設定点（例えば、最大および／または最小等）を利用し得る。システムは、その後の検索、分析、表示、表示／レポート、および制御機能のための、システム動作に関連する任意の種類の情報（例えば、熱処理の停止および起動の日付および時間、流体レベル、または損失等）を記録し得る。
【０１１６】
制御回路プロセッサは、任意の数量の、任意の従来のまたは他の処理装置（例えば、マイクロプロセッサ、制御装置、回路網、論理等）によって実装され得る。レポートは、任意の方法でまとめられてもよく、任意の所望の情報（例えば、溶液の熱処理の開始日および開始時間、溶液が熱処理された時間間隔、溶液が熱処理中に達した温度（例えば、時間および溶液温度の部分的または完全な履歴）、施設名および場所、患者情報、医師情報、手順の種類、熱処理される溶液の種類、熱処理される溶液の量等）を含む。プロセッサまたはシステム表示部は、任意の形状またはサイズの、任意の従来のまたは他の表示部によって実装され得、制御装置上の任意の所望の場所に配置され得る。表示部は、任意の所望の情報（例えば、経過（または実行）時間、レポート等）を表示し得る。表示される情報は、プロセッサ入力装置または表示制御（例えば、ボタン、キー等）を介して選択されてもよい。
【０１１７】
温度制御装置およびプロセッサ用のソフトウェアは、任意の所望のコンピュータ言語で実装され得、本明細書に含まれる機能説明に基づいて、コンピュータ分野の当業者によって開発され得る。温度制御装置および／またはプロセッサは、代替として、任意の種類のハードウェアおよび／または他の処理回路網によって実装され得、即時使用のために予めプログラムされて入手可能なものであってもよい。温度制御装置および／またはプロセッサの様々な機能は、任意の数量のソフトウェアモジュール、プロセッサ、および／または回路網のうちの任意の様式で、分配され得る。
【０１１８】
プリンタは、任意の数量の、任意の従来のまたは他の印刷装置によって実装され得る。プロセッサは、特定の時間（例えば、処理の終了時、１日のうちの特定の時間、特定の数量の使用後等）に、またはプロセッサ入力装置（例えば、印刷キー）を介した医療関係者からの要求に応じて、レポートを作成するようにプリンタを制御してもよい。通信モジュールは、任意の数量の、任意の従来のまたは他の通信装置（例えば、ルーター、モデム、ＮＩＣ等）によって実装され得、情報の転送またはダウンロードのための他の装置との通信を可能にする。さらに、通信モジュールは、データベースまたは他の供給源からの情報（例えば、患者情報、施設情報、医師情報、溶液情報、機器情報等）の検索を容易にすることができる。
【０１１９】
固定キャップは、任意の数量、形状、またはサイズであり得、任意の好適な材料から構成され得る。キャップチャネルは、任意の形状またはサイズであり得、任意のキャップの場所に画定され得、任意の所望の方向に延在し得る。温度プローブは、任意の従来のまたは他の固定技術（例えば、摩擦嵌合、ねじ係合、固定機構等）を介して、固定キャップ内に固定され得る。突出部のタブは、任意の数量、形状、またはサイズであり得、任意の所望の材料から構成され得、突出部または継手上の任意の場所に配置され得る。チャネルの溝および切り欠きは、任意の数量、形状、またはサイズであり得、任意の場所に画定され得る。タブは、タブの破砕または除去を可能にする任意の様式で突出部または継手に固定され得る。固定機構は、再使用可能な温度センサを用いる（例えば、温度センサを受容するようにレセプタクルを用いる）、上述の温度感知装置の実施形態のうちのいずれでも実装され得る。
【０１２０】
ループ構成は、流体流路内に任意の数量のループまたは巻きを含んでもよく、ループまたは巻きは、任意の数量の温度センサおよび／またはレセプタクルを取り囲んでもよい。筐体部分は、任意のサイズまたは形状であり得、任意の好適な材料から構成され得る。温度センサおよび／またはレセプタクルは、部分的にまたは完全に該筐体部分内に配置されてもよい。代替として、ループ構成は、筐体部分なしで用いられてもよく、その場合はループが温度センサおよび／またはレセプタクルを取り囲む。ループ経路は、任意の従来のまたは他の技術によって画定され得る。例えば、ベース部分は、ループ配列に予め構成されるか、あるいは、ループ配列に構成された管部材を含んでもよい。さらに、筐体部分は、流体流動を、筐体を通ってループ経路に誘導するために任意の数量の仕切りまたはガイドを含んでもよい。さらに、筐体部分は、温度センサおよび／またはレセプタクルを取り囲むために単に流体を含んでもよい。
【０１２１】
流れ制御装置は、任意の数量、形状、またはサイズであり得、任意の好適な材料から構成され得、継手またはラインに沿った任意の好適な場所に配置され得る。流れ制御装置は、任意の種類の作動機構（例えば、ピストン、回転等）を伴う、任意の数量の、任意の従来のまたは他の流れ制御装置（例えば、弁等）によって実装され得る。任意の数量の流れ制御装置が、温度感知装置において用いられ得る。コア部材および把持部材は、任意の数量、形状、またはサイズであり得、任意の好適な材料から構成され得る。筐体は、任意の数量、形状、またはサイズであり得、任意の好適な材料から構成され得る。コア部材および／または筐体内に画定される開口部は、任意のサイズおよび形状であり得、流体の流動を制御するために任意の好適な場所に配置され得る。開口部は、継手の流体チャネルとの任意の所望の整列／不整列を有し、流体の流動を制御するように画定されてもよい。接続部材は、任意の形状またはサイズであり得、任意の好適な材料から構成され得る。
【０１２２】
ピストン式流れ制御装置は、任意の嵌合または係合の構成要素を用いる、任意の好適な係止機構（例えば、突出部および凹部もしくは切り欠き、クランプもしくは連動配列等）を含み得る。リブおよび対応する凹部は、任意の数量、サイズ、または形状であり得、任意の好適な場所に配置され得る。これらの構成要素は、コア部材または筐体上に任意の方法で配置され得る。例えば、リブは、筐体上に配置されてもよく、一方、コア部材は、対応する凹部を含む。ピストン式流れ制御装置の把持部材は、流体の流れを制御するように（例えば、全開流れ、部分流れ、または流れ無し）、任意の所望の量だけ筐体の中に遠位に推し進められてもよい。
【０１２３】
回転式流れ制御装置は、任意の嵌合または係合構成要素を用いる、任意の好適な係止機構（例えば、突出部および凹部もしくは切り欠き、クランプもしくは連動配列等）を含み得る。段部および溝は、任意の数量、サイズ、または形状であり得、任意の好適な場所に配置され得る。これらの構成要素は、把持部材または筐体上に任意の方法で配置され得る。回転流れ制御装置の把持部材は、流体の流れを制御するように（例えば、全開流れ、部分流れ、または流れ無し）、任意の所望の量だけ回転させられ得る。回転流れ制御装置のコア部材は、任意の形状またはサイズ（例えば、球形、円筒状、コア部材の近位部分と同等等）の遠位部分を含んでもよい。固定板は、任意の数量、形状、またはサイズであり得、任意の好適な材料から構成され得、コア部材を固定するように任意の場所に配置され得る。
【０１２４】
ソレノイドは、任意の数量の、任意の従来のまたは他の作動装置によって実装され得、弁を動作させるように、任意の好適な方向または配向に力を付与し得る（例えば、直線、回転等）。制御装置は、測定された温度の、所望の温度または温度範囲との任意の好適な比較（例えば、所望の温度もしくは温度範囲内であるか、またはそれらを超える）に応じて開閉するように、弁を作動させてもよい。流れ制御装置は、上述の温度感知装置の実施形態のうちのいずれによっても実装され得る。
【０１２５】
針ハブは、任意の数量、形状、またはサイズであり得、任意の好適な材料から構成され得る。シャフトおよび制御部材は、任意の数量、形状、またはサイズであり得、任意の好適な材料から構成され得る。制御部材は、任意の好適な場所に配置され得る。シャフト導管は、任意の形状またはサイズであり得る。針ハブは、任意の数量またはサイズの、任意の種類の従来のまたは他の針を受容し得る。弁は、任意の好適な弁（例えば、一方向、二方向等）によって実装され得る。突出部は、弁および針ハブの前、上、またはそれらの間の任意の好適な場所に配置され得る。針ハブ、弁、および継手は、一体型ユニットとして形成されてもよく、あるいは、任意の好適な組み合わせまたは配列で共に連結されてもよい。
【０１２６】
本発明は、上述の特定の構成または用途に限定されず、任意の種類の医療用または他の流体ライン内の任意の所望の場所の流体の温度を決定するために、利用され得ることを理解されたい。温度感知装置は、任意の好適な締結技術（例えば、コネクタ等）を介して流体ラインに固定され得る。
【０１２７】
上述の温度感知装置は、図２に示す装置等の、任意の種類の注入装置と共に用いられ得る。上述の温度感知装置は、任意の好適な取付けまたは設置技術を介して、流体ラインに沿った任意の所望の場所に設置され（例えば、これらの場所に取付けられ）、これらの場所の流体の温度を測定してもよい。上述の温度感知装置の動作の様式は、流体温度測定および／または制御を実行するように任意の方法で修正され得る。流体ラインは、任意の数量の温度感知装置を含み得、その場合、温度測定は、流体温度を決定するために任意の方法（例えば、平均されるか、重み付けされる等）で組み合わされてもよい。
【０１２８】
温度感知装置は、温度測定および／または制御のために、任意の種類の流体ライン（例えば、医療用または他のライン等）および対応する流体（例えば、静脈流体もしくは灌水液、溶液もしくは気体、非医療用流体等）用に用いられ得る。加えて、熱処理装置は、任意の従来のまたは他の種類の加熱および／または冷却要素（例えば、パッド、ワイヤ、熱交換流体を用いる装置、加熱コイル、冷却コイル等）によって実装されてもよく、任意の好適な所望の温度または温度範囲に流体を熱処理してもよい。これらの装置は、任意の好適な場所（例えば、溶液バッグまたは流体源に近接するか、流体ラインに沿う等）に配置され得、任意の所望の温度範囲に流体を熱処理（例えば、加熱および／または冷却）し得る。
【０１２９】
「最高部」、「底面」、「前」、「後」、「側面」、「高さ」、「長さ」、「幅」、「上」、「下」、「下方」、「上方」等の用語は、本明細書において、基準点を説明するために使用されているに過ぎず、本発明を任意の特定の配向または構成に限定しないことを理解されたい。
【０１３０】
前述の説明から、本発明が、注入液の温度を測定および制御するための新規方法および装置を提供し、温度感知装置は、流体ラインに沿った任意の望ましい場所の静脈流体の温度を監視し、患者に進入する前に、流体ライン内において所望の流体温度が確実に達成されるように、流体の流動をさらに選択的に可能および／または禁止し得ることが理解されるであろう。
【０１３１】
注入液の温度を測定および制御するための、新規および改善された方法および装置の好ましい実施形態について記述したが、本明細書で説明した教示を考慮すれば、他の修正、変形例、および変更が、当業者に示唆されるであろうことが考えられる。したがって、全てのそのような変形例、修正、および変更は、付属の特許請求の範囲により定義されるように、本発明の範囲内にあると考えられることを理解されたい。
【図１】
0005631423.tif 000002
【図２】
0005631423.tif 000003
【図３】
0005631423.tif 000004
【図４】
0005631423.tif 000005
【図５】
0005631423.tif 000006
【図６】
0005631423.tif 000007
【図７】
0005631423.tif 000008
【図８Ａ】
0005631423.tif 000009
【図８Ｂ】
0005631423.tif 000010
【図８Ｃ】
0005631423.tif 000011
【図９Ａ】
0005631423.tif 000012
【図９Ｂ】
0005631423.tif 000013
【図９Ｃ】
0005631423.tif 000014
【図１０Ａ】
0005631423.tif 000015
【図１０Ｂ】
0005631423.tif 000016
【図１０Ｃ】
0005631423.tif 000017
【図１０Ｄ】
0005631423.tif 000018
【図１１】
0005631423.tif 000019
【図１２】
0005631423.tif 000020